(57)【特許請求の範囲】
【請求項１】
回線交換通信をサポートしていない第１通信方式の無線アクセスネットワーク装置を介してパケット交換ベアラを用いて音声通信及びパケット通信を行っている移動局のハンドオーバ方法であって、
前記第１通信方式の無線アクセスネットワーク装置を収容する移動管理ノードが、回線交換通信をサポートしている第２通信方式の回線交換機を介して、該第２通信方式の無線アクセスネットワーク装置に対して、前記音声通信及び前記パケット通信についてハンドオーバを行うことを示す第１指示情報を含み、該音声通信に用いる回線交換ベアラのリソースを確保するように要求する回線交換ベアラ用リソース確保信号を送信する工程Ａと、
前記移動管理ノードが、前記第２通信方式のパケット交換機を介して、該第２通信方式の無線アクセスネットワーク装置に対して、前記第１指示情報を含み、該パケット通信に用いるパケット交換ベアラのリソースを確保するように要求するパケット交換ベアラ用リソース確保信号を送信する工程Ｂと、
前記第２通信方式の無線アクセスネットワーク装置が、前記回線交換ベアラ用リソース確保信号及び該パケット交換ベアラ用リソース確保信号の両方を受信した後に、前記移動管理ノードに対して、前記回線交換ベアラのリソースを確保したことを示す回線交換ベアラ用応答信号、及び、前記パケット交換ベアラのリソースを確保したことを示すパケット交換ベアラ用応答信号を送信する工程Ｃと、
前記移動管理ノードが、前記回線交換ベアラ用応答信号及び前記パケット交換ベアラ用応答信号を受信した場合、前記第１通信方式の無線アクセスネットワーク装置を介して、前記移動局に対して、前記音声通信及び前記パケット通信についての前記第１通信方式の無線アクセスネットワークから前記第２通信方式の無線アクセスネットワークへのハンドオーバ指示信号を送信する工程Ｄとを有することを特徴とするハンドオーバ方法。
【請求項２】
前記工程Ｃにおいて、前記第２通信方式の無線アクセスネットワーク装置は、前記第１指示情報を含む前記回線交換ベアラ用リソース確保信号を受信してから所定期間が経過するまでに、前記パケット交換ベアラ用リソース確保信号を受信しない場合には、前記音声通信のみについてハンドオーバを行うことを示す第２指示情報を含む前記回線交換ベアラ用応答信号を送信し、
前記工程Ｄにおいて、前記移動管理ノードは、前記第２指示情報を含む前記回線交換ベアラ用応答信号を受信した場合、前記音声通信のみについての前記第１通信方式の無線アクセスネットワークから前記第２通信方式の無線アクセスネットワークへのハンドオーバ指示信号を送信することを特徴とする請求項１に記載のハンドオーバ方法。
【請求項３】
回線交換通信をサポートしていない第１通信方式の無線アクセスネットワーク装置を介してパケット交換ベアラを用いて音声通信及びパケット通信を行っている移動局のハンドオーバ方法であって、
前記第１通信方式の無線アクセスネットワーク装置を収容する移動管理ノードが、回線交換通信をサポートしている第２通信方式の回線交換機を介して、該第２通信方式の無線アクセスネットワーク装置に対して、前記音声通信に用いる回線交換ベアラのリソースを確保するように要求する回線交換ベアラ用リソース確保信号を送信する工程Ａと、
前記回線交換ベアラ用リソース確保信号に、前記音声通信のみについてハンドオーバを行うことを示す指示情報が含まれている場合、前記第２通信方式の無線アクセスネットワーク装置が、前記パケット通信に用いるパケット交換ベアラのリソースを確保するように要求するパケット交換ベアラ用リソース確保信号の受信を待つことなく、前記移動管理ノードに対して、該指示情報を含み、前記回線交換ベアラのリソースを確保したことを示す回線交換ベアラ用応答信号を送信する工程Ｂと、
前記移動管理ノードが、前記指示情報を含む前記回線交換ベアラ用応答信号を受信した場合、前記第１通信方式の無線アクセスネットワーク装置を介して、前記移動局に対して、前記音声通信のみについての前記第１通信方式の無線アクセスネットワークから前記第２通信方式の無線アクセスネットワークへのハンドオーバ指示信号を送信する工程Ｃとを有することを特徴とするハンドオーバ方法。
【請求項４】
前記工程Ａにおいて、前記移動管理ノードは、前記第１通信方式の無線アクセスネットワーク装置によって送信されたハンドオーバ要求信号によって、前記音声通信及び前記パケット通信についてハンドオーバを行うことが指示されている場合であっても、該パケット通信についてハンドオーバを行わないと決定した場合には、前記指示情報を含む前記回線交換ベアラ用リソース確保信号を送信することを特徴とする請求項３に記載のハンドオーバ方法。
【請求項５】
回線交換通信をサポートしていない第１通信方式の無線アクセスネットワーク装置を介してパケット交換ベアラを用いて音声通信及びパケット通信を行っている移動局のハンドオーバ方法であって、
前記第１通信方式の無線アクセスネットワーク装置を収容する移動管理ノードが、回線交換通信をサポートしている第２通信方式の回線交換機を介して、該第２通信方式の無線アクセスネットワーク装置に対して、前記音声通信及び前記パケット通信についてハンドオーバを行うことを示す第１指示情報を含み、前記音声通信に用いる回線交換ベアラのリソースを確保するように要求する回線交換ベアラ用リソース確保信号を送信する工程と、
前記移動管理ノードが、前記第２通信方式のパケット交換機を介して、該第２通信方式の無線アクセスネットワーク装置に対して、前記第１指示情報を含み、前記パケット通信に用いるパケット交換ベアラのリソースを確保するように要求するパケット交換ベアラ用リソース確保信号を送信する工程と、
前記第２通信方式のパケット交換機が、前記パケット通信に用いるパケット交換ベアラの設定を拒絶する場合に、該第２通信方式の無線アクセスネットワーク装置に対して、前記パケット交換ベアラ用リソース確保信号を送信することなく、前記移動管理ノードに対して、エラー応答を含むパケット交換ベアラ用応答信号を送信する工程と、
前記移動管理ノードが、前記エラー応答を含む前記パケット交換ベアラ用応答信号を受信した場合、前記回線交換ベアラ及び前記パケット交換ベアラのリソースの確保についてのキャンセル処理を行う工程と、
前記移動管理ノードが、前記第２通信方式の回線交換機を介して、該第２通信方式の無線アクセスネットワーク装置に対して、前記音声通信のみについてハンドオーバを行うことを示す第２指示情報を含む前記回線交換ベアラ用リソース確保信号を送信する工程と、
前記第２通信方式の無線アクセスネットワーク装置が、前記第２指示情報を含む前記回線交換ベアラ用リソース確保信号を受信した場合には、前記パケット交換ベアラ用リソース確保信号の受信を待つことなく、前記移動管理ノードに対して、前記回線交換ベアラのリソースを確保したことを示す回線交換ベアラ用応答信号を送信する工程と、
前記移動管理ノードが、前記第２指示情報を含む前記回線交換ベアラ用応答信号を受信した場合、前記第１通信方式の無線アクセスネットワーク装置を介して、前記移動局に対して、前記音声通信のみについての前記第１通信方式の無線アクセスネットワークから前記第２通信方式の無線アクセスネットワークへのハンドオーバ指示信号を送信する工程とを有することを特徴とするハンドオーバ方法。
【請求項６】
回線交換通信をサポートしていない第１通信方式の無線アクセスネットワーク装置を介してパケット交換ベアラを用いて音声通信及びパケット通信を行っている移動局のハンドオーバ方法であって、
前記第１通信方式の無線アクセスネットワーク装置を収容する移動管理ノードが、回線交換通信をサポートしている第２通信方式の回線交換機を介して、該第２通信方式の無線アクセスネットワーク装置に対して、前記音声通信及び前記パケット通信についてハンドオーバを行うことを示す第１指示情報を含み、前記音声通信に用いる回線交換ベアラのリソースを確保するように要求する回線交換ベアラ用リソース確保信号を送信する工程と、
前記移動管理ノードが、前記第２通信方式のパケット交換機を介して、該第２通信方式の無線アクセスネットワーク装置に対して、前記第１指示情報を含み、前記パケット通信に用いるパケット交換ベアラのリソースを確保するように要求するパケット交換ベアラ用リソース確保信号を送信する工程と、
前記移動管理ノードが、前記パケット交換ベアラ用リソース確保信号を送信してから所定期間するまでに、前記パケット交換ベアラのリソースを確保したことを示すパケット交換ベアラ用応答信号を受信しない場合には、前記回線交換ベアラ及び該パケット交換ベアラのリソースの確保についてのキャンセル処理を行う工程と、
前記移動管理ノードが、前記第２通信方式の回線交換機を介して、該第２通信方式の無線アクセスネットワーク装置に対して、前記音声通信のみについてハンドオーバを行うことを示す第２指示情報を含む前記回線交換ベアラ用リソース確保信号を送信する工程と、
前記第２通信方式の無線アクセスネットワーク装置が、前記第２指示情報を含む前記回線交換ベアラ用リソース確保信号を受信した場合には、前記パケット交換ベアラ用リソース確保信号の受信を待つことなく、前記移動管理ノードに対して、前記第２指示情報を含み、前記回線交換ベアラのリソースを確保したことを示す回線交換ベアラ用応答信号を送信する工程と、
前記移動管理ノードが、前記第２指示情報を含む前記回線交換ベアラ用応答信号を受信した場合、前記第１通信方式の無線アクセスネットワーク装置を介して、前記移動局に対して、前記音声通信のみについての前記第１通信方式の無線アクセスネットワークから前記第２通信方式の無線アクセスネットワークへのハンドオーバ指示信号を送信する工程とを有することを特徴とするハンドオーバ方法。
【請求項７】
回線交換通信をサポートしていない第１通信方式の無線アクセスネットワーク装置を介してパケット交換ベアラを用いて音声通信及びパケット通信を行っている移動局のハンドオーバを行うことができる移動通信システムにおける回線交換通信をサポートしている第２通信方式の無線アクセスネットワーク装置であって、
前記第１通信方式の無線アクセスネットワーク装置を収容する移動管理ノードから、回線交換通信をサポートしている第２通信方式の回線交換機を介して、前記音声通信に用いる回線交換ベアラのリソースを確保するように要求する回線交換ベアラ用リソース確保信号を受信するように構成されており、
前記移動管理ノードから、前記第２通信方式のパケット交換機を介して、前記パケット通信に用いるパケット交換ベアラのリソースを確保するように要求するパケット交換ベアラ用リソース確保信号を受信するように構成されており、
受信した前記回線交換ベアラ用応答信号或いは前記パケット交換ベアラ用応答信号に、前記音声通信及び前記パケット通信についてハンドオーバを行うことを示す第１指示情報が含まれている場合、該回線交換ベアラ用リソース確保信号及び該パケット交換ベアラ用リソース確保信号の両方を受信した後に、前記移動管理ノードに対して、前記回線交換ベアラのリソースを確保したことを示す回線交換ベアラ用応答信号、及び、前記パケット交換ベアラのリソースを確保したことを示すパケット交換ベアラ用応答信号を送信するように構成されていることを特徴とする無線アクセスネットワーク装置。
【請求項８】
受信した前記回線交換ベアラ用リソース確保信号に、前記第１指示情報が含まれている場合で、かつ、該回線交換ベアラ用リソース確保信号を受信してから所定期間が経過するまでに、前記パケット交換ベアラ用リソース確保信号を受信しない場合には、前記音声通信のみについてハンドオーバを行うことを示す第２指示情報を含む前記回線交換ベアラ用応答信号を送信するように構成されていることを特徴とする請求項７に記載の無線アクセスネットワーク装置。
【請求項９】
回線交換通信をサポートしていない第１通信方式の無線アクセスネットワーク装置を介してパケット交換ベアラを用いて音声通信及びパケット通信を行っている移動局のハンドオーバを行うことができる移動通信システムにおける回線交換通信をサポートしている第２通信方式の無線アクセスネットワーク装置であって、
前記第１通信方式の無線アクセスネットワーク装置を収容する移動管理ノードから、回線交換通信をサポートしている第２通信方式の回線交換機を介して、前記音声通信に用いる回線交換ベアラのリソースを確保するように要求する回線交換ベアラ用リソース確保信号を受信するように構成されており、
受信した前記回線交換ベアラ用リソース確保信号に、前記音声通信のみについてハンドオーバを行うことを示す指示情報が含まれている場合、前記パケット通信に用いるパケット交換ベアラのリソースを確保するように要求するパケット交換ベアラ用リソース確保信号の受信を待つことなく、前記移動管理ノードに対して、該指示情報を含み、前記回線交換ベアラのリソースを確保したことを示す回線交換ベアラ用応答信号を送信するように構成されていることを特徴とする無線アクセスネットワーク装置。
【請求項１０】
回線交換通信をサポートしていない通信方式の無線アクセスネットワーク装置を介してパケット交換ベアラを用いて音声通信及びパケット通信を行っている移動局のハンドオーバを行うことができる移動通信システムにおいて、該通信方式の無線アクセスネットワーク装置を収容する移動管理ノードであって、
前記無線アクセスネットワーク装置によって送信されたハンドオーバ要求信号によって、前記音声通信及び前記パケット通信についてハンドオーバを行うことが指示されている場合であっても、該パケット通信についてハンドオーバを行わないと決定した場合には、該音声通信のみについてハンドオーバを行うことを示す指示情報を含み、該音声通信に用いる回線交換ベアラのリソースを確保するように要求する回線交換ベアラ用リソース確保信号を送信するように構成されていることを特徴とする移動管理ノード。
【請求項１１】
回線交換通信をサポートしていない第１通信方式の無線アクセスネットワーク装置を介してパケット交換ベアラを用いて音声通信及びパケット通信を行っている移動局のハンドオーバを行うことができる移動通信システムにおいて、該第１通信方式の無線アクセスネットワーク装置を収容する移動管理ノードであって、
回線交換通信をサポートしている第２通信方式の回線交換機を介して、該第２通信方式の無線アクセスネットワーク装置に対して、前記音声通信及び前記パケット通信についてハンドオーバを行うことを示す第１指示情報を含み、前記音声通信に用いる回線交換ベアラのリソースを確保するように要求する回線交換ベアラ用リソース確保信号を送信するように構成されており、
前記第２通信方式の回線交換機を介して、該第２通信方式の無線アクセスネットワーク装置に対して、前記第１指示情報を含み、前記パケット通信に用いるパケット交換ベアラのリソースを確保するように要求するパケット交換ベアラ用リソース確保信号を送信するように構成されており、
前記第２通信方式のパケット交換機から、エラー応答を含み、前記パケット交換ベアラのリソースを確保したことを示すパケット交換ベアラ用応答信号を受信した場合、前記回線交換ベアラ及び該パケット交換ベアラのリソースの確保についてのキャンセル処理を行うと共に、該第２通信方式の回線交換機を介して、該第２通信方式の無線アクセスネットワーク装置に対して、前記音声通信のみについてハンドオーバを行うことを示す第２指示情報を含む前記回線交換ベアラ用リソース確保信号を送信するように構成されていることを特徴とする移動管理ノード。
【請求項１２】
回線交換通信をサポートしていない第１通信方式の無線アクセスネットワーク装置を介してパケット交換ベアラを用いて音声通信及びパケット通信を行っている移動局のハンドオーバを行うことができる移動通信システムにおいて、該第１通信方式の無線アクセスネットワーク装置を収容する移動管理ノードであって、
回線交換通信をサポートしている第２通信方式の回線交換機を介して、該第２通信方式の無線アクセスネットワーク装置に対して、前記音声通信及び前記パケット通信についてハンドオーバを行うことを示す第１指示情報を含み、前記音声通信に用いる回線交換ベアラのリソースを確保するように要求する回線交換ベアラ用リソース確保信号を送信するように構成されており、
前記第２通信方式のパケット交換機を介して、該第２通信方式の無線アクセスネットワーク装置に対して、前記第１指示情報を含み、前記パケット通信に用いるパケット交換ベアラのリソースを確保するように要求するパケット交換ベアラ用リソース確保信号を送信するように構成されており、
前記パケット交換ベアラ用リソース確保信号を送信してから所定期間するまでに、前記パケット交換ベアラのリソースを確保したことを示すパケット交換ベアラ用応答信号を受信しない場合には、前記回線交換ベアラ及び該パケット交換ベアラのリソースの確保についてのキャンセル処理を行うと共に、前記第２通信方式の回線交換機を介して、該第２通信方式の無線アクセスネットワーク装置に対して、前記音声通信のみについてハンドオーバを行うことを示す第２指示情報を含む前記回線交換ベアラ用リソース確保信号を送信するように構成されていることを特徴とする移動管理ノード。
【請求項１３】
回線交換通信をサポートしている通信方式の無線アクセスネットワーク装置を介してパケット交換ベアラを用いて音声通信及びパケット通信を行っている移動局のハンドオーバを行うことができる移動通信システムにおいて、該通信方式の無線アクセスネットワーク装置を収容するパケット交換機であって、
前記無線アクセスネットワーク装置によって送信されたハンドオーバ要求信号によって、前記音声通信及び前記パケット通信についてハンドオーバを行うことが指示されている場合であっても、該パケット通信についてハンドオーバを行わないと決定した場合には、該音声通信のみについてハンドオーバを行うことを示す指示情報を含み、該音声通信に用いる回線交換ベアラのリソースを確保するように要求する回線交換ベアラ用リソース確保信号を送信するように構成されていることを特徴とするパケット交換機。
【発明の詳細な説明】
【技術分野】
【０００１】
本発明は、移動通信方法、無線アクセスネットワーク装置及び移動管理ノードに関する。
【背景技術】
【０００２】
従来、２Ｇ/３Ｇ方式の無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ/ＧＥＲＡＮ：ＧＳＭ  ＥＤＧＥ  Ｒａｄｉｏ  Ａｃｃｅｓｓ  Ｎｅｔｗｏｒｋ）及びＬＴＥ（Ｌｏｎｇ  Ｔｅｒｍ  Ｅｖｏｌｕｔｉｏｎ）方式の無線アクセスネットワーク（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
かかる移動通信システムにおいて、ＵＥ（Ｕｓｅｒ  Ｅｑｕｉｐｍｅｎｔ、移動局）＃１を、ＰＳ（Ｐａｃｋｅｔ  Ｓｗｉｔｃｈ、パケット交換）ベアラを用いて音声通信を行う状態から、ＣＳ（Ｃｉｒｓｕｉｔ  Ｓｗｉｔｃｈ、回線交換）ベアラを用いて音声通信を行う状態に切り替えることによって、ＵＥ＃１の音声通信を継続可能とする技術、すなわち、「ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）」が知られている（非特許文献１参照）。図７に、かかる移動通信システムにおける「ＳＲＶＣＣ」の動作について示す。
【先行技術文献】
【非特許文献】
【０００４】
【非特許文献１】３ＧＰＰ  ＴＳ２３.２１６
【発明の概要】
【発明が解決しようとする課題】
【０００５】
ここで、図７に示す「ＳＲＶＣＣ」の動作において、ＵＥ＃１の音声通信についてのハンドオーバと共に、ＵＥ＃１のパケット通信についてのハンドオーバを行う場合には、ハンドオーバ先のＵＴＲＡＮ/ＧＥＲＡＮ内のＲＮＣ（Ｒａｄｉｏ  Ｎｅｔｗｏｒｋ  Ｃｏｎｔｒｏｌｌｅｒ）/ＢＳＳ（Ｂａｓｅ  Ｓｔａｔｉｏｎ  Ｓｙｓｔｅｍ）は、音声通信に用いるＣＳベアラのリソースを確保するように要求する「Ｒｅｌｏｃ/ＨＯ  Ｒｅｑ（ステップ５ｃ）」及びパケット通信に用いるＰＳベアラのリソースを確保するように要求する「Ｒｅｌｏｃ/ＨＯ  Ｒｅｑ（ステップ６ｂ）」の両者を受信した後に、当該ＣＳベアラのリソースを確保したことを示す「Ｒｅｌｏｃ/ＨＯ  Ｒｅｑ（ステップ７ａ）」及び当該ＰＳベアラのリソースを確保したことを示す「Ｒｅｌｏｃ/ＨＯ  Ｒｅｑ（ステップ８ａ）」を送信する必要がある。
【０００６】
しかしながら、上述の「ＳＲＶＣＣ」の動作では、ハンドオーバ先のＵＴＲＡＮ/ＧＥＲＡＮ内のＲＮＣ/ＢＳＳが、ＵＥ＃１の音声通信についてのハンドオーバと共に、ＵＥ＃１のパケット通信についてのハンドオーバも行うか否かについて知ることができないため、ＵＥ＃１のパケット通信についてのハンドオーバが行われない場合であっても、「Ｒｅｌｏｃ/  ＨＯ  Ｒｅｑ（ステップ５ｃ）」及び「Ｒｅｌｏｃ/ＨＯ  Ｒｅｑ（ステップ６ｂ）」の両者を受信するまで、「Ｒｅｌｏｃ/ＨＯ  Ｒｅｑ（ステップ７ａ）」及び「Ｒｅｌｏｃ/ＨＯ  Ｒｅｑ（ステップ８ａ）」の送信を待機しなければならない。
【０００７】
具体的には、上述の「ＳＲＶＣＣ」の動作では、ハンドオーバ先のＵＴＲＡＮ/ＧＥＲＡＮ内のＲＮＣ/ＢＳＳが、ＵＥ＃１の音声通信に係る「Ｒｅｌｏｃ/ＨＯ  Ｒｅｑ（ステップ５ｃ）」を受信した場合に、ＵＥ＃１のパケット通信に係る「Ｒｅｌｏｃ/ＨＯ  Ｒｅｑ（ステップ６ｂ）」が到着するか否かについて知ることができないため、ＵＥ＃１のパケット通信についてのハンドオーバが行われない場合であっても、「Ｒｅｌｏｃ/ＨＯ  Ｒｅｑ（ステップ６ｂ）」を受信するまで、「Ｒｅｌｏｃ/ＨＯ  Ｒｅｑ（ステップ７ａ）」及び「Ｒｅｌｏｃ/ＨＯ  Ｒｅｑ（ステップ８ａ）」の送信を待機しなければならない。
【０００８】
その結果、かかる音声通信又はパケット通信についてのハンドオーバが失敗したり、かかるハンドオーバ遅延が増大したりするという問題点があった。
【０００９】
そこで、本発明は、上述の課題に鑑みてなされたものであり、「ＳＲＶＣＣ」において、かかる音声通信又はパケット通信についてのハンドオーバの失敗を回避すると共に、かかるハンドオーバ遅延の増大を回避することができる移動通信方法、無線アクセスネットワーク装置及び移動管理ノードを提供することを目的とする。
【課題を解決するための手段】
【００１０】
本発明の第１の特徴は、回線交換通信をサポートしていない第１通信方式の無線アクセスネットワーク装置を介してパケット交換ベアラを用いて音声通信及びパケット通信を行っている移動局のハンドオーバ方法であって、前記第１通信方式の無線アクセスネットワーク装置を収容する移動管理ノードが、回線交換通信をサポートしている第２通信方式の回線交換機を介して、該第２通信方式の無線アクセスネットワーク装置に対して、前記音声通信及び前記パケット通信についてハンドオーバを行うことを示す第１指示情報を含み、該音声通信に用いる回線交換ベアラのリソースを確保するように要求する回線交換ベアラ用リソース確保信号を送信する工程Ａと、前記移動管理ノードが、前記第２通信方式のパケット交換機を介して、該第２通信方式の無線アクセスネットワーク装置に対して、前記第１指示情報を含み、該パケット通信に用いるパケット交換ベアラのリソースを確保するように要求するパケット交換ベアラ用リソース確保信号を送信する工程Ｂと、前記第２通信方式の無線アクセスネットワーク装置が、前記回線交換ベアラ用リソース確保信号及び該パケット交換ベアラ用リソース確保信号の両方を受信した後に、前記移動管理ノードに対して、前記第１指示情報を含み、前記回線交換ベアラのリソースを確保したことを示す回線交換ベアラ用応答信号、及び、該第１指示情報を含み、前記パケット交換ベアラのリソースを確保したことを示すパケット交換ベアラ用応答信号を送信する工程Ｃと、前記移動管理ノードが、前記第１指示情報を含む前記回線交換ベアラ用応答信号及び前記パケット交換ベアラ用応答信号を受信した場合、前記第１通信方式の無線アクセスネットワーク装置を介して、前記移動局に対して、前記音声通信及び前記パケット通信についての前記第１通信方式の無線アクセスネットワークから前記第２通信方式の無線アクセスネットワークへのハンドオーバ指示信号を送信する工程Ｄとを有することを要旨とする。
【００１１】
本発明の第２の特徴は、回線交換通信をサポートしていない第１通信方式の無線アクセスネットワーク装置を介してパケット交換ベアラを用いて音声通信及びパケット通信を行っている移動局のハンドオーバ方法であって、前記第１通信方式の無線アクセスネットワーク装置を収容する移動管理ノードが、回線交換通信をサポートしている第２通信方式の回線交換機を介して、該第２通信方式の無線アクセスネットワーク装置に対して、前記音声通信に用いる回線交換ベアラのリソースを確保するように要求する回線交換ベアラ用リソース確保信号を送信する工程Ａと、前記回線交換ベアラ用リソース確保信号に、前記音声通信のみについてハンドオーバを行うことを示す指示情報が含まれている場合、前記第２通信方式の無線アクセスネットワーク装置が、前記パケット通信に用いるパケット交換ベアラのリソースを確保するように要求するパケット交換ベアラ用リソース確保信号の受信を待つことなく、前記移動管理ノードに対して、該指示情報を含み、前記回線交換ベアラのリソースを確保したことを示す回線交換ベアラ用応答信号を送信する工程Ｂと、前記移動管理ノードが、前記指示情報を含む前記回線交換ベアラ用応答信号を受信した場合、前記第１通信方式の無線アクセスネットワーク装置を介して、前記移動局に対して、前記音声通信のみについての前記第１通信方式の無線アクセスネットワークから前記第２通信方式の無線アクセスネットワークへのハンドオーバ指示信号を送信する工程Ｃとを有することを要旨とする。
【００１２】
本発明の第３の特徴は、回線交換通信をサポートしていない第１通信方式の無線アクセスネットワーク装置を介してパケット交換ベアラを用いて音声通信及びパケット通信を行っている移動局のハンドオーバ方法であって、前記第１通信方式の無線アクセスネットワーク装置を収容する移動管理ノードが、回線交換通信をサポートしている第２通信方式の回線交換機を介して、該第２通信方式の無線アクセスネットワーク装置に対して、前記音声通信及び前記パケット通信についてハンドオーバを行うことを示す第１指示情報を含み、前記音声通信に用いる回線交換ベアラのリソースを確保するように要求する回線交換ベアラ用リソース確保信号を送信する工程と、前記移動管理ノードが、前記第２通信方式のパケット交換機を介して、該第２通信方式の無線アクセスネットワーク装置に対して、前記第１指示情報を含み、前記パケット通信に用いるパケット交換ベアラのリソースを確保するように要求するパケット交換ベアラ用リソース確保信号を送信する工程と、前記第２通信方式のパケット交換機が、前記パケット通信に用いるパケット交換ベアラの設定を拒絶する場合に、該第２通信方式の無線アクセスネットワーク装置に対して、前記パケット交換ベアラ用リソース確保信号を送信することなく、前記移動管理ノードに対して、エラー応答を含むパケット交換ベアラ用応答信号を送信する工程と、前記移動管理ノードが、前記エラー応答を含む前記パケット交換ベアラ用応答信号を受信した場合、前記回線交換ベアラ及び前記パケット交換ベアラのリソースの確保についてのキャンセル処理を行う工程と、前記移動管理ノードが、前記第２通信方式の回線交換機を介して、該第２通信方式の無線アクセスネットワーク装置に対して、前記音声通信のみについてハンドオーバを行うことを示す第２指示情報を含む前記回線交換ベアラ用リソース確保信号を送信する工程と、前記第２通信方式の無線アクセスネットワーク装置が、前記第２指示情報を含む前記回線交換ベアラ用リソース確保信号を受信した場合には、前記パケット交換ベアラ用リソース確保信号の受信を待つことなく、前記移動管理ノードに対して、前記回線交換ベアラのリソースを確保したことを示す回線交換ベアラ用応答信号を送信する工程と、前記移動管理ノードが、前記第２指示情報を含む前記回線交換ベアラ用応答信号を受信した場合、前記第１通信方式の無線アクセスネットワーク装置を介して、前記移動局に対して、前記音声通信のみについての前記第１通信方式の無線アクセスネットワークから前記第２通信方式の無線アクセスネットワークへのハンドオーバ指示信号を送信する工程とを有することを要旨とする。
【００１３】
本発明の第４の特徴は、回線交換通信をサポートしていない第１通信方式の無線アクセスネットワーク装置を介してパケット交換ベアラを用いて音声通信及びパケット通信を行っている移動局のハンドオーバ方法であって、前記第１通信方式の無線アクセスネットワーク装置を収容する移動管理ノードが、回線交換通信をサポートしている第２通信方式の回線交換機を介して、該第２通信方式の無線アクセスネットワーク装置に対して、前記音声通信及び前記パケット通信についてハンドオーバを行うことを示す第１指示情報を含み、前記音声通信に用いる回線交換ベアラのリソースを確保するように要求する回線交換ベアラ用リソース確保信号を送信する工程と、前記移動管理ノードが、前記第２通信方式のパケット交換機を介して、該第２通信方式の無線アクセスネットワーク装置に対して、前記第１指示情報を含み、前記パケット通信に用いるパケット交換ベアラのリソースを確保するように要求するパケット交換ベアラ用リソース確保信号を送信する工程と、前記移動管理ノードが、前記パケット交換ベアラ用リソース確保信号を送信してから所定期間するまでに、前記パケット交換ベアラのリソースを確保したことを示すパケット交換ベアラ用応答信号を受信しない場合には、前記回線交換ベアラ及び該パケット交換ベアラのリソースの確保についてのキャンセル処理を行う工程と、前記移動管理ノードが、前記第２通信方式の回線交換機を介して、該第２通信方式の無線アクセスネットワーク装置に対して、前記音声通信のみについてハンドオーバを行うことを示す第２指示情報を含む前記回線交換ベアラ用リソース確保信号を送信する工程と、前記第２通信方式の無線アクセスネットワーク装置が、前記第２指示情報を含む前記回線交換ベアラ用リソース確保信号を受信した場合には、前記パケット交換ベアラ用リソース確保信号の受信を待つことなく、前記移動管理ノードに対して、前記第２指示情報を含み、前記回線交換ベアラのリソースを確保したことを示す回線交換ベアラ用応答信号を送信する工程と、前記移動管理ノードが、前記第２指示情報を含む前記回線交換ベアラ用応答信号を受信した場合、前記第１通信方式の無線アクセスネットワーク装置を介して、前記移動局に対して、前記音声通信のみについての前記第１通信方式の無線アクセスネットワークから前記第２通信方式の無線アクセスネットワークへのハンドオーバ指示信号を送信する工程とを有することを要旨とする。
【００１４】
本発明の第５の特徴は、回線交換通信をサポートしていない第１通信方式の無線アクセスネットワーク装置を介してパケット交換ベアラを用いて音声通信及びパケット通信を行っている移動局のハンドオーバを行うことができる移動通信システムにおける回線交換通信をサポートしている第２通信方式の無線アクセスネットワーク装置であって、前記第１通信方式の無線アクセスネットワーク装置を収容する移動管理ノードから、回線交換通信をサポートしている第２通信方式の回線交換機を介して、前記音声通信に用いる回線交換ベアラのリソースを確保するように要求する回線交換ベアラ用リソース確保信号を受信するように構成されており、前記移動管理ノードから、前記第２通信方式のパケット交換機を介して、前記パケット通信に用いるパケット交換ベアラのリソースを確保するように要求するパケット交換ベアラ用リソース確保信号を受信するように構成されており、受信した前記回線交換ベアラ用応答信号或いは前記パケット交換ベアラ用応答信号に、前記音声通信及び前記パケット通信についてハンドオーバを行うことを示す第１指示情報が含まれている場合、該回線交換ベアラ用リソース確保信号及び該パケット交換ベアラ用リソース確保信号の両方を受信した後に、前記移動管理ノードに対して、前記回線交換ベアラのリソースを確保したことを示す回線交換ベアラ用応答信号、及び、前記パケット交換ベアラのリソースを確保したことを示すパケット交換ベアラ用応答信号を送信するように構成されていることを要旨とする。
【００１５】
本発明の第６の特徴は、回線交換通信をサポートしていない第１通信方式の無線アクセスネットワーク装置を介してパケット交換ベアラを用いて音声通信及びパケット通信を行っている移動局のハンドオーバを行うことができる移動通信システムにおける回線交換通信をサポートしている第２通信方式の無線アクセスネットワーク装置であって、前記第１通信方式の無線アクセスネットワーク装置を収容する移動管理ノードから、回線交換通信をサポートしている第２通信方式の回線交換機を介して、前記音声通信に用いる回線交換ベアラのリソースを確保するように要求する回線交換ベアラ用リソース確保信号を受信するように構成されており、受信した前記回線交換ベアラ用リソース確保信号に、前記音声通信のみについてハンドオーバを行うことを示す指示情報が含まれている場合、前記パケット通信に用いるパケット交換ベアラのリソースを確保するように要求するパケット交換ベアラ用リソース確保信号の受信を待つことなく、前記移動管理ノードに対して、該指示情報を含み、前記回線交換ベアラのリソースを確保したことを示す回線交換ベアラ用応答信号を送信するように構成されていることを要旨とする。
【００１６】
本発明の第７の特徴は、回線交換通信をサポートしていない通信方式の無線アクセスネットワーク装置を介してパケット交換ベアラを用いて音声通信及びパケット通信を行っている移動局のハンドオーバを行うことができる移動通信システムにおいて、該通信方式の無線アクセスネットワーク装置を収容する移動管理ノードであって、前記無線アクセスネットワーク装置によって送信されたハンドオーバ要求信号によって、前記音声通信及び前記パケット通信についてハンドオーバを行うことが指示されている場合であっても、該パケット通信についてハンドオーバを行わないと決定した場合には、該音声通信のみについてハンドオーバを行うことを示す指示情報を含み、該音声通信に用いる回線交換ベアラのリソースを確保するように要求する回線交換ベアラ用リソース確保信号を送信するように構成されていることを要旨とする。
【００１７】
本発明の第８の特徴は、回線交換通信をサポートしていない第１通信方式の無線アクセスネットワーク装置を介してパケット交換ベアラを用いて音声通信及びパケット通信を行っている移動局のハンドオーバを行うことができる移動通信システムにおいて、該第１通信方式の無線アクセスネットワーク装置を収容する移動管理ノードであって、回線交換通信をサポートしている第２通信方式の回線交換機を介して、該第２通信方式の無線アクセスネットワーク装置に対して、前記音声通信及び前記パケット通信についてハンドオーバを行うことを示す第１指示情報を含み、前記音声通信に用いる回線交換ベアラのリソースを確保するように要求する回線交換ベアラ用リソース確保信号を送信するように構成されており、前記第２通信方式の回線交換機を介して、該第２通信方式の無線アクセスネットワーク装置に対して、前記第１指示情報を含み、前記パケット通信に用いるパケット交換ベアラのリソースを確保するように要求するパケット交換ベアラ用リソース確保信号を送信するように構成されており、前記第２通信方式のパケット交換機から、エラー応答を含み、前記パケット交換ベアラのリソースを確保したことを示すパケット交換ベアラ用応答信号を受信した場合、前記回線交換ベアラ及び該パケット交換ベアラのリソースの確保についてのキャンセル処理を行うと共に、該第２通信方式の回線交換機を介して、該第２通信方式の無線アクセスネットワーク装置に対して、前記音声通信のみについてハンドオーバを行うことを示す第２指示情報を含む前記回線交換ベアラ用リソース確保信号を送信するように構成されていることを要旨とする。
【００１８】
本発明の第９の特徴は、回線交換通信をサポートしていない第１通信方式の無線アクセスネットワーク装置を介してパケット交換ベアラを用いて音声通信及びパケット通信を行っている移動局のハンドオーバを行うことができる移動通信システムにおいて、該第１通信方式の無線アクセスネットワーク装置を収容する移動管理ノードであって、回線交換通信をサポートしている第２通信方式の回線交換機を介して、該第２通信方式の無線アクセスネットワーク装置に対して、前記音声通信及び前記パケット通信についてハンドオーバを行うことを示す第１指示情報を含み、前記音声通信に用いる回線交換ベアラのリソースを確保するように要求する回線交換ベアラ用リソース確保信号を送信するように構成されており、前記第２通信方式のパケット交換機を介して、該第２通信方式の無線アクセスネットワーク装置に対して、前記第１指示情報を含み、前記パケット通信に用いるパケット交換ベアラのリソースを確保するように要求するパケット交換ベアラ用リソース確保信号を送信するように構成されており、前記パケット交換ベアラ用リソース確保信号を送信してから所定期間するまでに、前記パケット交換ベアラのリソースを確保したことを示すパケット交換ベアラ用応答信号を受信しない場合には、前記回線交換ベアラ及び該パケット交換ベアラのリソースの確保についてのキャンセル処理を行うと共に、前記第２通信方式の回線交換機を介して、該第２通信方式の無線アクセスネットワーク装置に対して、前記音声通信のみについてハンドオーバを行うことを示す第２指示情報を含む前記回線交換ベアラ用リソース確保信号を送信するように構成されていることを要旨とする。
【００１９】
本発明の第１０の特徴は、回線交換通信をサポートしている通信方式の無線アクセスネットワーク装置を介してパケット交換ベアラを用いて音声通信及びパケット通信を行っている移動局のハンドオーバを行うことができる移動通信システムにおいて、該通信方式の無線アクセスネットワーク装置を収容するパケット交換機であって、前記無線アクセスネットワーク装置によって送信されたハンドオーバ要求信号によって、前記音声通信及び前記パケット通信についてハンドオーバを行うことが指示されている場合であっても、該パケット通信についてハンドオーバを行わないと決定した場合には、該音声通信のみについてハンドオーバを行うことを示す指示情報を含み、該音声通信に用いる回線交換ベアラのリソースを確保するように要求する回線交換ベアラ用リソース確保信号を送信するように構成されていることを要旨とする。
【発明の効果】
【００２０】
以上説明したように、本発明によれば、「ＳＲＶＣＣ」において、かかる音声通信又はパケット通信についてのハンドオーバの失敗を回避すると共に、かかるハンドオーバ遅延の増大を回避することができる移動通信方法、無線アクセスネットワーク装置及び移動管理ノードを提供することができる。
【図面の簡単な説明】
【００２１】
【図１】本発明の第１の実施形態に係る移動通信システムの全体構成図である。
【図２】本発明の第１の実施形態に係る移動通信システムの動作を示すシーケンス図である。
【図３】本発明の第１の実施形態に係る移動通信システムの動作を示すシーケンス図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の変更例１に係る移動通信システムの動作を示すシーケンス図である。
【図７】従来の移動通信システムの動作を示すシーケンス図である。
【発明を実施するための形態】
【００２２】
（本発明の第１の実施形態に係る移動通信システム）
図１乃至図５を参照して、本発明の第１の実施形態に係る移動通信システムについて説明する。
【００２３】
図１に示すように、本実施形態に係る移動通信システムは、Ｅ-ＵＴＲＡＮ及び移動伝達ネットワークを含むＥＰＳ（Ｅｖｏｌｖｅｄ  Ｐａｃｋｅｔ  Ｓｙｓｔｅｍ）と、ＧＥＲＡＮ/ＵＴＲＡＮ及びコアネットワークを含む２Ｇ/３Ｇ方式のシステムと、ＩＭＳ（ＩＰ  Ｍｕｌｔｉｍｅｄｉａ  Ｓｕｂｓｙｓｔｅｍ、サービス制御ネットワーク）とを具備している。
【００２４】
Ｅ-ＵＴＲＡＮには、ｅＮＢ（無線アクセスネットワーク装置）が配置されており、ＧＥＲＡＮ/ＵＴＲＡＮには、ＲＮＣ/ＢＳＳ（無線アクセスネットワーク装置）が配置されている。
【００２５】
移動伝達ネットワークには、ＭＭＥ（Ｍｏｂｉｌｉｔｙ  Ｍａｎａｇｅｍｅｎｔ  Ｅｎｔｉｔｙ、移動管理ノード）や、Ｓ-ＧＷ（Ｓｅｒｖｉｎｇ-Ｇａｔｅｗａｙ、サービングゲートウェイ装置）や、Ｐ-ＧＷ（ＰＤＮ-Ｇａｔｅｗａｙ、パケットデータネットワークゲートウェイ装置）や、ＰＣＲＦ（Ｐｏｌｉｃｙ  ａｎｄ  Ｃｈａｒｇｉｎｇ  Ｒｕｌｅｓ  Ｆｕｎｃｔｉｏｎ、ポリシー制御装置）や、ＨＳＳ（Ｈｏｍｅ  Ｓｕｂｓｃｒｉｂｅｒ  Ｓｅｒｖｅｒ、加入者管理サーバ）/ＨＬＲ（Ｈｏｍｅ  Ｌｏｃａｔｉｏｎ  Ｒｅｇｉｓｔｅｒ）（不図示）が配置されている。
【００２６】
２Ｇ/３Ｇ方式のコアネットワークには、ＭＳＣ（Ｍｏｂｉｌｅ-ｓｅｒｖｉｃｅ  Ｓｗｉｔｃｈｉｎｇ  Ｃｅｎｔｅｒ、回線交換機）や、ＳＧＳＮ（Ｓｅｒｖｉｎｇ  ＧＰＲＳ  Ｓｕｐｐｏｒｔ  Ｎｏｄｅ、パケット交換機）や、ＳＲＶＣＣ方式用のＭＳＣサーバや、ＣＳ-ＭＧＷ（Ｃｏｒｃｕｉｔ  Ｓｗｉｔｃｈ-Ｍｅｄｉａ  Ｇａｔｅｗａｙ、回線交換用メディアゲートウェイ装置）が配置されている。
【００２７】
ＩＭＳには、ＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）や、Ｉ/Ｓ-ＣＳＣＦ（Ｉｎｔｅｒｒｏｇａｔｉｎｇ/Ｓｅｒｖｉｎｇ  Ｃａｌｌ  Ｓｅｓｓｉｏｎ  Ｃｏｎｔｒｏｌ  Ｆｕｎｃｔｉｏｎ）や、Ｐ-ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）等が配置されている。
【００２８】
また、本実施形態に係る移動通信システムは、ＵＥ＃１を、Ｅ-ＵＴＲＡＮ及び移動伝達ネットワークを介してＰＳベアラを用いて音声通信を行う状態から、ＵＴＲＡＮ/ＧＥＲＡＮ及びコアネットワークを介してＣＳベアラを用いて音声通信を行う状態に切り替えることによって、すなわち、ＵＥ＃１の音声通信についてのハンドオーバを行うことによって、「ＳＲＶＣＣ」を実現することができるように構成されている。
【００２９】
ここで、本実施形態に係る移動通信システムは、ＵＥ＃１の音声通信についてのハンドオーバと共に、ＵＥ＃１のパケット通信についてのハンドオーバを行うことができるように構成されている。
【００３０】
すなわち、本実施形態に係る移動通信システムは、「ＳＲＶＣＣ」の動作において、ＵＥ＃１を、Ｅ-ＵＴＲＡＮ及び移動伝達ネットワークを介してＰＳベアラを用いてパケット通信を行う状態から、ＵＴＲＡＮ/ＧＥＲＡＮ及びコアネットワークを介してＰＳベアラを用いてパケット通信を行う状態に切り替えることができるように構成されている。
【００３１】
以下、図２乃至図５を参照して、本実施形態に係る移動通信システムの具体的な動作について説明する。
【００３２】
ここで、ＵＥ＃１は、Ｅ-ＵＴＲＡＮ及び移動伝達ネットワークを介してＰＳベアラを用いて音声通信及びパケット通信を行う状態にあるものとする。
【００３３】
第１に、図２を参照して、本実施形態に係る移動通信システムにおいて、ＵＥ＃１の音声通信についてのハンドオーバと共に、ＵＥ＃１のパケット通信についてのハンドオーバを行う場合の動作について説明する。
【００３４】
図２に示すように、ステップＳ１００１において、ＵＥ＃１は、Ｅ-ＵＴＲＡＮ内のｅＮＢに対して、「Ｍｅａｓｕｒｅｍｅｎｔ  Ｒｅｐｏｒｔ」を送信する。
【００３５】
ステップＳ１００２において、ｅＮＢは、ＵＥ＃１の接続先無線アクセスネットワークを、Ｅ-ＵＴＲＡＮからＵＴＲＡＮ/ＧＥＲＡＮに切り替えること、すなわち、ＵＥ＃１の音声通信及びパケット通信についてのＥ-ＵＴＲＡＮからＵＴＲＡＮ/ＧＥＲＡＮへのハンドオーバを行うことを決定する。
【００３６】
ステップＳ１００３において、ｅＮＢは、ＭＭＥに対して、ＵＥ＃１の音声通信及びパケット通信についてハンドオーバを行うことを指示する「ＳＲＶＣＣ  ＨＯ  Ｉｎｄｉｃａｔｉｏｎ＝ＰＳ  ａｎｄ  ＣＳ」を含む「Ｈａｎｄｏｖｅｒ  Ｒｅｑｕｉｒｅｄ」を送信する。
【００３７】
ＭＭＥは、ステップＳ１００４において、「Ｂｅａｒｅｒ  Ｓｐｌｉｔｔｉｎｇ」を行う、すなわち、ＵＥ＃１の音声通信に用いられているＰＳベアラ及びＵＥ＃１のパケット通信に用いられているＰＳベアラを分類する。
【００３８】
ステップＳ１００５ａにおいて、ＭＭＥは、ＭＳＣサーバ/ＣＳ-ＭＧＷに対して、ＵＥ＃１の音声通信及びパケット通信についてハンドオーバを行うことを示す「ＰＳ/ＣＳ  ＨＯ  Ｉｎｄｉｃａｔｉｏｎ」を含む「ＰＳ  ｔｏ  ＣＳ  Ｒｅｑ」を送信する。
【００３９】
ステップＳ１００５ｂにおいて、ＭＳＣサーバ/ＣＳ-ＭＧＷは、ＭＳＣに対して、かかる「ＰＳ/ＣＳ  ＨＯ  Ｉｎｄｉｃａｔｉｏｎ」を含む「Ｐｒｅｐ  ＨＯ」を送信し、ステップＳ１００５ｃにおいて、ＭＳＣは、ＵＴＲＡＮ/ＧＥＲＡＮ内のＲＮＣ/ＢＳＳに対して、かかる「ＰＳ/ＣＳ  ＨＯ  Ｉｎｄｉｃａｔｉｏｎ」を含む「Ｒｅｌｏｃ/ＨＯ  Ｒｅｑ」を送信する。
【００４０】
ここで、「ＰＳ  ｔｏ  ＣＳ  Ｒｅｑ（ステップＳ１００５ａ）」、「Ｐｒｅｐ  ＨＯ（ステップＳ１００５ｂ）」及び「Ｒｅｌｏｃ/ＨＯ  Ｒｅｑ（ステップＳ１００５ｃ、ＣＳベアラ用）」は、ＵＥ＃１の音声通信に用いるＣＳベアラのリソースを確保するように要求するＣＳベアラ用リソース確保信号である。
【００４１】
また、ステップＳ１００６ａにおいて、ＭＭＥは、ＳＧＳＮに対して、上述の「ＰＳ/ＣＳ  ＨＯ  Ｉｎｄｉｃａｔｉｏｎ」を含む「Ｆｏｒｗａｒｄ  Ｒｅｌｏｃ  Ｒｅｑ」を送信し、ステップＳ１００６ｂにおいて、ＳＧＳＮは、ＲＮＣ/ＢＳＳに対して、上述の「ＰＳ/ＣＳ  ＨＯ  Ｉｎｄｉｃａｔｉｏｎ」を含む「Ｒｅｌｏｃ/ＨＯ  Ｒｅｑ」を送信する。
【００４２】
ここで、「Ｆｏｒｗａｒｄ  Ｒｅｌｏｃ  Ｒｅｑ（ステップＳ１００６ａ）」及び「Ｒｅｌｏｃ/ＨＯ  Ｒｅｑ（ステップＳ１００６ｂ、ＰＳベアラ用）」は、ＵＥ＃１のパケット通信に用いるＰＳベアラのリソースを確保するように要求するＰＳベアラ用リソース確保信号である。
【００４３】
なお、ステップＳ１００６ａによって、ＵＥ＃１の音声通信に用いられていたＰＳベアラ以外のＰＳベアラについてのコンテキスト（Ｃｏｎｔｅｘｔ）が、ＭＭＥからＳＧＳＮに通知される。
【００４４】
ここで、ＲＮＣ/ＢＳＳは、先に受信した「Ｒｅｌｏｃ/ＨＯ  Ｒｅｑ（ＣＳベアラ用）」に「ＰＳ/ＣＳ  ＨＯ  Ｉｎｄｉｃａｔｉｏｎ」が含まれている場合には、待ち合わせタイマを起動し、かかる待ち合わせタイマが満了する前に、「Ｒｅｌｏｃ/ＨＯ  Ｒｅｑ（ＰＳベアラ用）」を受信した場合、ステップＳ１００７ａにおいて、ＳＧＳＮに対して、「Ｒｅｌｏｃ/ＨＯ  Ｒｅｑ  Ａｃｋ（ＰＳベアラ用）」を送信し、ステップＳ１００８ａにおいて、ＭＳＣに対して、「Ｒｅｌｏｃ/ＨＯ  Ｒｅｑ  Ａｃｋ（ＣＳベアラ用）」を送信する。
【００４５】
同様に、ＲＮＣ/ＢＳＳは、先に受信した「Ｒｅｌｏｃ/ＨＯ  Ｒｅｑ（ＰＳベアラ用）」に「ＰＳ/ＣＳ  ＨＯ  Ｉｎｄｉｃａｔｉｏｎ」が含まれている場合には、待ち合わせタイマを起動し、かかる待ち合わせタイマが満了する前に、「Ｒｅｌｏｃ/ＨＯ  Ｒｅｑ（ＣＳベアラ用）」を受信した場合、ステップＳ１００７ａにおいて、ＳＧＳＮに対して、「Ｒｅｌｏｃ/ＨＯ  Ｒｅｑ  Ａｃｋ（ＰＳベアラ用）」を送信し、ステップＳ１００８ａにおいて、ＭＳＣに対して、「Ｒｅｌｏｃ/ＨＯ  Ｒｅｑ  Ａｃｋ（ＣＳベアラ用）」を送信する。
【００４６】
或いは、ＲＮＣ/ＢＳＳは、「Ｒｅｌｏｃ/ＨＯ  Ｒｅｑ（ＰＳベアラ用）」に設定されている「Ｔｒａｎｓｐａｒｅｎｔ  Ｃｏｎｔａｉｎｅｒ」内の「ＳＲＶＣＣ Ｉｎｆｏｒｍａｔｉｏｎ」に応じて、待ち合わせタイマを起動し、上述の待ち合わせ処理を実施してもよい。
【００４７】
ここで、ＲＮＣ/ＢＳＳは、先に受信した「Ｒｅｌｏｃ/ＨＯ  Ｒｅｑ（ＣＳベアラ用）」に「ＰＳ/ＣＳ  ＨＯ  Ｉｎｄｉｃａｔｉｏｎ」が含まれている場合には、待ち合わせタイマを起動し、かかる待ち合わせタイマが満了する前に、「Ｒｅｌｏｃ/ＨＯ  Ｒｅｑ（ＰＳベアラ用）」を受信しなかった場合、ステップＳ１００８ａにおいて、ＭＳＣに対して、ＵＥ＃１の音声通信のみについてハンドオーバを行うことを示す「Ｐｒｅｐａｒｅｄ  ＣＳ  ｏｎｌｙ」を含む「Ｒｅｌｏｃ/ＨＯ  Ｒｅｑ  Ａｃｋ（ＣＳベアラ用）」を送信してもよい。
【００４８】
かかる場合、「Ｐｒｅｐａｒｅｄ  ＣＳ  ｏｎｌｙ」は、後述する「Ｐｒｅｐ  ＨＯ  Ｒｅｓｐ（ステップＳ１００８ｂ）」や「ＰＳ  ｔｏ  ＣＳ  Ｒｅｓｐ（ステップＳ１０１２）」にも設定されるものとする。
【００４９】
ステップＳ１００７ｂにおいて、ＳＧＳＮは、ＭＭＥに対して、「Ｆｏｒｗａｒｄ  Ｒｅｌｏｃ  Ｒｅｓｐ」を送信する。
【００５０】
なお、ＲＮＣ/ＢＳＳは、かかる待ち合わせタイマが満了後に「Ｒｅｌｏｃ/ＨＯ  Ｒｅｑ（ＰＳベアラ用）」を受信した場合、ステップＳ１００７ａにおいて、ＳＧＳＮに対して、エラー情報を通知してもよい。かかる場合、ステップＳ１００７ｂにおいて、ＳＧＳＮは、ＭＭＥに対して、所定のエラー情報を通知する。
【００５１】
ステップＳ１００８ｂにおいて、ＭＳＣは、ＭＳＣサーバ/ＣＳ-ＭＧＷに対して、「Ｐｒｅｐ  ＨＯ  Ｒｅｓｐ」を送信し、ステップＳ１００８ｃにおいて、ＭＳＣサーバ/ＣＳ-ＭＧＷとＭＳＣとの間で回線が設定される。
【００５２】
ステップＳ１００９において、ＭＳＣサーバ/ＣＳ-ＭＧＷは、ＩＭＳ内のＳＣＣ  ＡＳに対して、「Ｉｎｉｔｉａｔｉｏｎ  ｏｆ  Ｓｅｓｓｉｏｎ  Ｔｒａｎｓｆｅｒ（ＳＴＮ-ＳＲ又はＥ-ＳＴＮ-ＳＲ）を送信し、ＳＣＣ  ＡＳは、ステップＳ１０１０及びＳ１０１１において、図２に示す処理を行う。
【００５３】
ステップＳ１０１２において、ＭＳＣサーバ/ＣＳ-ＭＧＷは、ＭＭＥに対して、「ＰＳ  ｔｏ  ＣＳ  Ｒｅｓｐ」を送信する。
【００５４】
ここで、「Ｒｅｌｏｃ/ＨＯ  Ｒｅｑ  Ａｃｋ（ステップＳ１００７ａ、ＰＳベアラ用）」及び「Ｆｏｒｗａｒｄ  Ｒｅｌｏｃ  Ｒｅｓｐ（ステップＳ１００７ｂ）」は、ＵＥ＃１のパケット通信に用いられるＰＳベアラのリソースを確保したことを示すＰＳベアラ用応答信号である。
【００５５】
また、「Ｒｅｌｏｃ/ＨＯ  Ｒｅｑ  Ａｃｋ（ステップＳ１００８ａ、ＣＳベアラ用）」、「Ｐｒｅｐ  ＨＯ  Ｒｅｓｐ（ステップＳ１００８ｂ）」及び「ＰＳ  ｔｏ  ＣＳ  Ｒｅｓｐ（ステップＳ１０１２）」は、ＵＥ＃１の音声通信に用いられるＣＳベアラのリソースを確保したことを示すＣＳベアラ用応答信号である。
【００５６】
ステップ１０１３において、ＭＭＥは、「ＰＳ  ｔｏ  ＣＳ  Ｒｅｓｐ（ステップＳ１０１２）」及び「Ｆｏｒｗａｒｄ  Ｒｅｌｏｃ  Ｒｅｓｐ（ステップＳ１００７ｂ）」を受信した後、ｅＮＢに対して、ＵＥ＃１の音声通信及びパケット通信についてのＥ-ＵＴＲＡＮからＵＴＲＡＮ/ＧＥＲＡＮへのハンドオーバを指示する「Ｈａｎｄｏｖｅｒ  Ｃｏｍｍａｎｄ」を送信する。
【００５７】
なお、ＭＭＥは、ステップＳ１０１２において、「Ｐｒｅｐａｒｅｄ  ＣＳ  ｏｎｌｙ」を含む「ＰＳ  ｔｏ  ＣＳ  Ｒｅｓｐ」を受信した場合には、「Ｆｏｒｗａｒｄ  Ｒｅｌｏｃ  Ｒｅｓｐ（ステップＳ１００７ｂ）」の受信を待つことなく、ｅＮＢに対して、かかる「Ｈａｎｄｏｖｅｒ  Ｃｏｍｍａｎｄ」を送信してもよい。
【００５８】
或いは、ステップＳ１００７ｂにおいて、ＭＭＥは、所定のエラー情報を受信した場合、「Ｆｏｒｗａｒｄ  Ｒｅｌｏｃ  Ｒｅｓｐ（ステップＳ１００７ｂ）」の受信を待つことなく、ｅＮＢに対して、かかる「Ｈａｎｄｏｖｅｒ  Ｃｏｍｍａｎｄ」を送信してもよい。
【００５９】
ステップＳ１０１４において、ｅＮＢは、ＵＥ＃１に対して、ＵＥ＃１の音声通信及びパケット通信についてのＥ-ＵＴＲＡＮからＵＴＲＡＮ/ＧＥＲＡＮへのハンドオーバを指示する「ＨＯ  ｆｒｏｍ  ＥＵＴＲＡＮ  ｃｏｍｍａｎｄ」を送信する。
【００６０】
ＵＥ＃１は、ステップＳ１０１５において、接続先無線アクセスネットワークをＥ-ＵＴＲＡＮからＵＴＲＡＮ/ＧＥＲＡＮに切り替える。
【００６１】
ステップＳ１０１６において、ｅＮＢやＲＮＣ/ＢＳＳ等において、ＵＥ＃１の接続先無線アクセスネットワークをＥ-ＵＴＲＡＮからＵＴＲＡＮ/ＧＥＲＡＮに切り替える処理が行われる。
【００６２】
ステップＳ１０１７ａにおいて、ＲＮＣ/ＢＳＳは、ＭＳＣに対して、「Ｒｅｌｏｃ/ＨＯ  Ｃｏｍｐｌｅｔｅ」を送信し、ＭＳＣは、ＭＳＣサーバ/ＣＳ-ＭＧＷに対して、ステップＳ１０１７ｂにおいて、「ＳＥＳ（ＨＯ  Ｃｏｍｐｌｅｔｅ）」を送信し、ステップＳ１０１７ｃにおいて、「ＡＮＳＷＥＲ」を送信する。
【００６３】
ステップＳ１０１７ｄにおいて、ＭＳＣサーバ/ＣＳ-ＭＧＷとＭＭＥとの間で「ＰＳ  ｔｏ  ＣＳ  Ｃｏｍｐｌｅｔｅ/Ａｃｋ」の送受信が行われる。
【００６４】
ステップ１０１７ｅにおいて、「Ｄｅｌｅｔｅ  ｂｅａｒｅｒ」が行われ、  ステップＳ１０１７ｆにおいて、ＭＳＣサーバ/ＣＳ-ＭＧＷは、ＨＳＳ/ＨＬＲに対して、「ＵｐｄａｔｅＬｏｃ」を送信する。
【００６５】
ステップＳ１０１７ｇにおいて、ＵＥ＃１とＭＳＣサーバ/ＣＳ-ＭＧＷとの間で、「ＴＭＳＩ  Ｒｅａｌｌｏｃａｔｉｏｎ」が行われる。
【００６６】
ステップＳ１０１８ａにおいて、ＲＮＣ/ＢＳＳは、ＳＧＳＮに対して、「Ｒｅｌｏｃ/ＨＯ  Ｃｏｍｐｌｅｔｅ」を送信し、ステップＳ１０１８ｂにおいて、ＭＭＥとＳＧＳＮとの間で「Ｆｏｒｗａｒｄ  Ｒｅｌｏｃ  Ｃｏｍｐｌｅｔｅ/Ａｃｋ」の送受信が行われ、ステップＳ１０１８ｃにおいて、ＳＧＳＮとＳ/Ｐ-ＧＷとの間で「Ｕｐｄａｔｅ  ｂｅａｒｅｒ」が行われ、ステップＳ１０１８ｄにおいて、「Ｄｅｌｅｔｅ  Ｓｅｓｓｉｏｎ」が行われる。
【００６７】
かかるステップＳ１０１８ａ乃至Ｓ１０１８ｄにおいて、ＵＥ＃１の音声通信で用いられていたＰＳベアラ以外のＰＳベアラについての切り替え処理が行われる。なお、かかる手順により、ＭＭＥは、ｅＮＢに対して「Ｒｅｌｅａｓｅ  Ｒｅｓｏｕｒｃｅ」を送信することで（不図示）、ｅＮＢに保持されていたＵＥ＃１の音声通信で用いられていたＰＳベアラを含む全てのＰＳベアラを解放する。  また、かかるステップＳ１０１８ａ乃至Ｓ１０１８ｄは、上述の処理により、ＰＳベアラについての切り替えを行わないと判断した場合、実施されない。
【００６８】
ステップＳ１０１９において、ＭＭＥ及びＭＳＣサーバ/ＣＳ-ＭＧＷは、ＧＭＬＣに対して、「Ｓｕｂｓｃｒｉｂｅｒ  Ｌｏｃａｔｉｏｎ  Ｒｅｐｏｒｔ」を送信する。
【００６９】
第２に、図３を参照して、本実施形態に係る移動通信システムにおいて、ＳＧＳＮが、ＵＥ＃１のパケット通信についてのハンドオーバを拒絶する場合の動作について説明する。
【００７０】
図３に示すように、ステップＳ２００１乃至Ｓ２００５ｃの動作は、図２に示すステップＳ１００１乃至Ｓ１００５ｃの動作と同一である。
【００７１】
ＳＧＳＮは、ステップＳ２００６ａにおいて、ＭＭＥから、「ＰＳ/ＣＳ  ＨＯ  Ｉｎｄｉｃａｔｉｏｎ」を含む「Ｆｏｒｗａｒｄ  Ｒｅｌｏｃ  Ｒｅｑ」を受信した際に、ＵＥ＃１のパケット通信についてのハンドオーバを拒絶すると、すなわち、ＵＥ＃１のパケット通信で用いられるＰＳベアラの設定を拒絶すると、ＲＮＣ/ＢＳＳに対して、上述の「ＰＳ/ＣＳ  ＨＯ  Ｉｎｄｉｃａｔｉｏｎ」を含む「Ｒｅｌｏｃ/ＨＯ  Ｒｅｑ」を送信することなく、ステップＳ２００７ｂにおいて、ＭＭＥに対して、「Ｆｏｒｗａｒｄ  Ｒｅｌｏｃ  Ｒｅｓｐ」を送信する。
【００７２】
ここで、ＲＮＣ/ＢＳＳは、ステップＳ２００５ｃにおいて受信した「Ｒｅｌｏｃ/ＨＯ  Ｒｅｑ（ＣＳベアラ用）」に「ＰＳ/ＣＳ  ＨＯ  Ｉｎｄｉｃａｔｉｏｎ」が含まれているため、待ち合わせタイマを起動し、かかる待ち合わせタイマが満了する前に、「Ｒｅｌｏｃ/ＨＯ  Ｒｅｑ（ＰＳベアラ用）」を受信しないため、ステップＳ２００８ａにおいて、ＭＳＣに対して、「Ｐｒｅｐａｒｅｄ  ＣＳ  ｏｎｌｙ」を含む「Ｒｅｌｏｃ/ＨＯ  Ｒｅｑ  Ａｃｋ（ＣＳベアラ用）」を送信する。
【００７３】
なお、ＳＧＳＮは、ＵＥ＃１のパケット通信で用いられるＰＳベアラの設定を拒絶した場合、ＲＮＣ/ＢＳＳに対して、ＰＳハンドオーバ失敗を通知し、ＲＮＣ/ＢＳＳは、かかる信号により、待ち合わせタイマを停止して、ステップＳ２００８ａにおいて、ＭＳＣに対して、「Ｐｒｅｐａｒｅｄ  ＣＳ  ｏｎｌｙ」を含む「Ｒｅｌｏｃ/ＨＯ  Ｒｅｑ  Ａｃｋ（ＣＳベアラ用）」を送信してもよい。
【００７４】
以下、ステップＳ２００８ｂ乃至Ｓ２０１９の動作は、図２に示すステップＳ１００８ｂ乃至Ｓ１０１９の動作と同一である。
【００７５】
第３に、図４を参照して、本実施形態に係る移動通信システムにおいて、ＵＥ＃１の音声通信のみについてのハンドオーバを行う場合の動作について説明する。
【００７６】
図４に示すように、ステップＳ３００１において、ＵＥ＃１は、Ｅ-ＵＴＲＡＮ内のｅＮＢに対して、「Ｍｅａｓｕｒｅｍｅｎｔ  Ｒｅｐｏｒｔ」を送信する。
【００７７】
ステップＳ３００２において、ｅＮＢは、ＵＥ＃１の音声通信のみについてのＥ-ＵＴＲＡＮからＵＴＲＡＮ/ＧＥＲＡＮへのハンドオーバを行うこと（すなわち、ＵＥ＃１のパケット通信についてのＥ-ＵＴＲＡＮからＵＴＲＡＮ/ＧＥＲＡＮへのハンドオーバを行わないこと）を決定する。
【００７８】
ステップＳ３００３において、ｅＮＢは、ＭＭＥに対して、ＵＥ＃１の音声通信のみについてハンドオーバを行うことを指示する「ＳＲＶＣＣ  ＨＯ  Ｉｎｄｉｃａｔｉｏｎ＝ＣＳ  Ｏｎｌｙ」を含む「Ｈａｎｄｏｖｅｒ  Ｒｅｑｕｉｒｅｄ」を送信する。
【００７９】
ＭＭＥは、ステップＳ３００４において、「Ｂｅａｒｅｒ  Ｓｐｌｉｔｔｉｎｇ」を行う、すなわち、ＵＥ＃１の音声通信に用いられているＰＳベアラ及びＵＥ＃１のパケット通信に用いられているＰＳベアラを分類する。
【００８０】
ステップＳ３００５において、ＭＭＥは、ＭＳＣサーバ/ＣＳ-ＭＧＷに対して、ＵＥ＃１の音声通信のみについてハンドオーバを行うことを示す「ＣＳ  Ｏｎｌｙ  Ｉｎｄｉｃａｔｉｏｎ」を含む「ＰＳ  ｔｏ  ＣＳ  Ｒｅｑ」を送信する。
【００８１】
ステップＳ３００６において、ＭＳＣサーバ/ＣＳ-ＭＧＷは、ＭＳＣに対して、かかる「ＣＳ  Ｏｎｌｙ  Ｉｎｄｉｃａｔｉｏｎ」を含む「Ｐｒｅｐ  ＨＯ  Ｒｅｑ」を送信する。
【００８２】
ステップＳ３００７において、ＭＳＣは、ＲＮＣ/ＢＳＳに対して、かかる「ＣＳ  Ｏｎｌｙ  Ｉｎｄｉｃａｔｉｏｎ」を含む「ＨＯ  Ｒｅｑｕｅｓｔ」を送信する。
【００８３】
ＲＮＣ/ＢＳＳは、受信した「ＨＯ  Ｒｅｑｕｅｓｔ（ＣＳベアラ用）」に「ＣＳ  Ｏｎｌｙ  Ｉｎｄｉｃａｔｉｏｎ」が含まれている場合には、待ち合わせタイマを起動することなく、すなわち、「ＨＯ  Ｒｅｑｕｅｓｔ（ＰＳベアラ用）」の受信を待つことなく、ＭＳＣに対して、「Ｐｒｅｐａｒｅｄ  ＣＳ  ｏｎｌｙ」を含む「ＨＯ  Ｒｅｑｕｅｓｔ  Ａｃｋ（ＣＳベアラ用）」を送信する。
【００８４】
なお、「Ｐｒｅｐａｒｅｄ  ＣＳ  ｏｎｌｙ」は、設定されていなくてもよい。「Ｐｒｅｐａｒｅｄ  ＣＳ  ｏｎｌｙ」が設定されている場合は、ステップＳ３００８及びＳ３０１３において、ＭＭＥまで通知されてもよい。
【００８５】
ステップＳ３００８において、ＭＳＣは、ＭＳＣサーバ/ＣＳ-ＭＧＷに対して、「Ｐｒｅｐ  ＨＯ  Ｒｅｓｐ」を送信し、ステップＳ３００９において、ＭＳＣサーバ/ＣＳ-ＭＧＷとＭＳＣとの間で回線が設定される。
【００８６】
ステップＳ３０１０において、ＭＳＣサーバ/ＣＳ-ＭＧＷは、ＩＭＳ内のＳＣＣ  ＡＳに対して、「Ｉｎｉｔｉａｔｉｏｎ  ｏｆ  Ｓｅｓｓｉｏｎ  Ｔｒａｎｓｆｅｒ（ＳＴＮ-ＳＲ又はＥ-ＳＴＮ-ＳＲ）を送信し、ＳＣＣ  ＡＳは、ステップＳ３０１１及びＳ３０１２において、図４に示す処理を行う。
【００８７】
ステップＳ３０１３において、ＭＳＣサーバ/ＣＳ-ＭＧＷは、ＭＭＥに対して、「Ｐｒｅｐａｒｅｄ  ＣＳ  ｏｎｌｙ」を含む「ＰＳ  ｔｏ  ＣＳ  Ｒｅｓｐ」を送信する。
【００８８】
ステップ３０１４において、ＭＭＥは、「ＰＳ  ｔｏ  ＣＳ  Ｒｅｓｐ（ステップＳ３０１３）」を受信した後、ｅＮＢに対して、ＵＥ＃１の音声通信のみについてのＥ-ＵＴＲＡＮからＵＴＲＡＮ/ＧＥＲＡＮへのハンドオーバを指示する「Ｈａｎｄｏｖｅｒ  Ｃｏｍｍａｎｄ」を送信する。
【００８９】
ステップＳ３０１５において、ｅＮＢは、ＵＥ＃１に対して、ＵＥ＃１の音声通信のみについてのＥ-ＵＴＲＡＮからＵＴＲＡＮ/ＧＥＲＡＮへのハンドオーバを指示する「ＨＯ  ｆｒｏｍ  ＥＵＴＲＡＮ  ｃｏｍｍａｎｄ」を送信する。
【００９０】
ＵＥ＃１は、ステップＳ３０１６において、接続先無線アクセスネットワークをＥ-ＵＴＲＡＮからＵＴＲＡＮ/ＧＥＲＡＮに切り替える。
【００９１】
ステップＳ３０１７において、ｅＮＢやＲＮＣ/ＢＳＳ等において、ＵＥ＃１の接続先無線アクセスネットワークをＥ-ＵＴＲＡＮからＵＴＲＡＮ/ＧＥＲＡＮに切り替える処理が行われる。
【００９２】
ステップＳ３０１８において、ＵＥ＃１は、ＲＮＣ/ＢＳＳに対して、「Ｓｕｓｐｅｎｄ（３ＧＰＰ  ＴＳ２３.０６０参照）」を送信し、ステップＳ３０１８において、ＲＮＣ/ＢＳＳは、ＳＧＳＮに対して、「Ｓｕｓｐｅｎｄ」を送信し、ＳＧＳＮが、ＭＭＥに対して、「Ｓｕｓｐｅｎｄ  Ｒｅｑｕｅｓｔ」を送信し、ＭＭＥが、ＳＧＳＮに対して、「Ｓｕｓｐｅｎｄ  Ｒｅｓｐｏｎｓｅ」を送信する。
【００９３】
ステップＳ３０１９において、ＲＮＣ/ＢＳＳは、ＭＳＣに対して、「ＨＯ  Ｃｏｍｐｌｅｔｅ」を送信し、ＭＳＣは、ＭＳＣサーバ/ＣＳ-ＭＧＷに対して、ステップＳ３０２０において、「ＳＥＳ（ＨＯ  Ｃｏｍｐｌｅｔｅ）」を送信し、ステップＳ３０２１において、「ＡＮＳＷＥＲ」を送信する。
【００９４】
ステップＳ３０２２において、ＭＳＣサーバ/ＣＳ-ＭＧＷとＭＭＥとの間で「ＰＳ  ｔｏ  ＣＳ  Ｃｏｍｐｌｅｔｅ/Ａｃｋ」の送受信が行われる。
【００９５】
ステップ３０２２ａにおいて、ＭＭＥとＳ/Ｐ-ＧＷとの間で、「Ｂｅａｒｅｒ  ｈａｎｄｌｉｎｇ  ａｎｄ  ｓｕｓｐｅｎｓｉｏｎ」が行われ、ステップＳ３０２３ａにおいて、ＵＥ＃１とＭＳＣサーバ/ＣＳ-ＭＧＷとの間で、「ＴＭＳＩ  Ｒｅａｌｌｏｃａｔｉｏｎ」が行われる。
【００９６】
ステップＳ３０２３ｂにおいて、ＭＳＣサーバ/ＣＳ-ＭＧＷは、ＨＳＳ/ＨＬＲに対して、「ＵｐｄａｔｅＬｏｃ」を送信し、ステップＳ３０２４において、ＭＭＥ及びＭＳＣサーバ/ＣＳ-ＭＧＷは、ＧＭＬＣに対して、「Ｓｕｂｓｃｒｉｂｅｒ  Ｌｏｃａｔｉｏｎ  Ｒｅｐｏｒｔ」を送信する。
【００９７】
なお、本実施形態に係る移動通信システムにおいて、Ｅ-ＵＴＲＡＮから、ＤＴＭ（Ｄｕａｌ  Ｔｒａｎｓｆｅｒ  Ｍｏｄｅ）機能をサポートするＵＴＲＡＮ/ＧＥＲＡＮへの切り替えが行われる場合、ステップＳ３０１８を実施せず、ステップＳ３０２２ａにおいて、音声通信で用いられていたＰＳベアラのみを切断する動作を実施してもよい。かかる場合、ＵＥ＃１は、ＵＴＲＡＮ/ＧＥＲＡＮへの切り替えを行った後、「Ｒｏｕｔｉｎｇ  Ａｒｅａ  Ｕｐｄａｔｅ」処理を実施して通信を再開してもよい。
【００９８】
第４に、図５を参照して、本実施形態に係る移動通信システムにおいて、ＭＭＥが、ＵＥ＃１のパケット通信についてのハンドオーバを行わないと判断する場合の動作について説明する。
【００９９】
図５に示すように、ステップＳ４００１において、ＵＥ＃１は、Ｅ-ＵＴＲＡＮ内のｅＮＢに対して、「Ｍｅａｓｕｒｅｍｅｎｔ  Ｒｅｐｏｒｔ」を送信する。
【０１００】
ステップＳ４００２において、ｅＮＢは、ＵＥ＃１の接続先無線アクセスネットワークを、Ｅ-ＵＴＲＡＮからＵＴＲＡＮ/ＧＥＲＡＮに切り替えること、すなわち、ＵＥ＃１の音声通信及びパケット通信についてのＥ-ＵＴＲＡＮからＵＴＲＡＮ/ＧＥＲＡＮへのハンドオーバを行うことを決定する。
【０１０１】
ステップＳ４００３において、ｅＮＢは、ＭＭＥに対して、ＵＥ＃１の音声通信及びパケット通信についてハンドオーバを行うことを指示する「ＳＲＶＣＣ  ＨＯ  Ｉｎｄｉｃａｔｉｏｎ＝ＰＳ  ａｎｄ  ＣＳ」を含む「Ｈａｎｄｏｖｅｒ  Ｒｅｑｕｉｒｅｄ」を送信する。
【０１０２】
ＭＭＥは、ステップＳ４００４において、「Ｂｅａｒｅｒ  Ｓｐｌｉｔｔｉｎｇ」を行う、すなわち、ＵＥ＃１の音声通信に用いられているＰＳベアラ及びＵＥ＃１のパケット通信に用いられているＰＳベアラを分類する。
【０１０３】
ここで、ＭＭＥは、ＵＥ＃１のパケット通信についてハンドオーバを行わないと判断する。
【０１０４】
ステップＳ４００５ａにおいて、ＭＭＥは、ＭＳＣサーバ/ＣＳ-ＭＧＷに対して、ＵＥ＃１の音声通信のみについてハンドオーバを行うことを示す「ＣＳ  Ｏｎｌｙ  Ｉｎｄｉｃａｔｉｏｎ」を含む「ＰＳ  ｔｏ  ＣＳ  Ｒｅｑ」を送信する。
【０１０５】
ステップＳ４００５ｂにおいて、ＭＳＣサーバ/ＣＳ-ＭＧＷは、ＭＳＣに対して、かかる「ＣＳ  Ｏｎｌｙ  Ｉｎｄｉｃａｔｉｏｎ」を含む「Ｐｒｅｐ  ＨＯ」を送信し、ステップＳ４００５ｃにおいて、ＭＳＣは、ＵＴＲＡＮ/ＧＥＲＡＮ内のＲＮＣ/ＢＳＳに対して、かかる「ＣＳ  Ｏｎｌｙ  Ｉｎｄｉｃａｔｉｏｎ」を含む「Ｒｅｌｏｃ/ＨＯ  Ｒｅｑ」を送信する。
【０１０６】
ここで、ＲＮＣ/ＢＳＳは、受信した「Ｒｅｌｏｃ/ＨＯ  Ｒｅｑ（ＣＳベアラ用）」に「ＣＳ  Ｏｎｌｙ  Ｉｎｄｉｃａｔｉｏｎ」が含まれているため、待ち合わせタイマを起動することなく、すなわち、「Ｒｅｌｏｃ/ＨＯ  Ｒｅｑ（ＰＳベアラ用）」の受信を待つことなく、ステップＳ４００８ａにおいて、ＭＳＣに対して、「Ｐｒｅｐａｒｅｄ  ＣＳ  ｏｎｌｙ」を含む「Ｒｅｌｏｃ/ＨＯ  Ｒｅｑ  Ａｃｋ（ＣＳベアラ用）」を送信する。
【０１０７】
ステップＳ４００８ｂにおいて、ＭＳＣは、ＭＳＣサーバ/ＣＳ-ＭＧＷに対して、「Ｐｒｅｐａｒｅｄ  ＣＳ  ｏｎｌｙ」を含む「Ｐｒｅｐ  ＨＯ  Ｒｅｓｐ」を送信し、ステップＳ４００８ｃにおいて、ＭＳＣサーバ/ＣＳ-ＭＧＷとＭＳＣとの間で回線が設定される。
【０１０８】
ステップＳ４００９において、ＭＳＣサーバ/ＣＳ-ＭＧＷは、ＩＭＳ内のＳＣＣ  ＡＳに対して、「Ｉｎｉｔｉａｔｉｏｎ  ｏｆ  Ｓｅｓｓｉｏｎ  Ｔｒａｎｓｆｅｒ（ＳＴＮ-ＳＲ又はＥ-ＳＴＮ-ＳＲ）を送信し、ＳＣＣ  ＡＳは、ステップＳ４０１０及びＳ４０１１において、図５に示す処理を行う。
【０１０９】
ステップＳ４０１２において、ＭＳＣサーバ/ＣＳ-ＭＧＷは、ＭＭＥに対して、「Ｐｒｅｐａｒｅｄ  ＣＳ  ｏｎｌｙ」を含む「ＰＳ  ｔｏ  ＣＳ  Ｒｅｓｐ」を送信する。
【０１１０】
ステップ４０１３において、ＭＭＥは、「Ｐｒｅｐａｒｅｄ  ＣＳ  ｏｎｌｙ」を含む「ＰＳ  ｔｏ  ＣＳ  Ｒｅｓｐ」を受信すると、ｅＮＢに対して、ＵＥ＃１の音声通信のみについてのＥ-ＵＴＲＡＮからＵＴＲＡＮ/ＧＥＲＡＮへのハンドオーバを指示する「Ｈａｎｄｏｖｅｒ  Ｃｏｍｍａｎｄ」を送信する。
【０１１１】
なお、ステップＳ４００８ａ、Ｓ４００８ｂ、Ｓ４０１２において、「Ｐｒｅｐａｒｅｄ  ＣＳ  ｏｎｌｙ」は、設定されていなくてもよい。かかる場合、ＭＭＥは、「ＰＳ  ｔｏ  ＣＳ  Ｒｅｓｐ」を受信すると、ステップ４０１３において、ｅＮＢに対して、ＵＥ＃１の音声通信のみについてのＥ-ＵＴＲＡＮからＵＴＲＡＮ/ＧＥＲＡＮへのハンドオーバを指示する「Ｈａｎｄｏｖｅｒ  Ｃｏｍｍａｎｄ」を送信する。
【０１１２】
以下、ステップＳ４０１４乃至Ｓ４０１９の動作は、図２に示すステップＳ１０１４乃至Ｓ１０１９の動作と同一である。
【０１１３】
本実施形態に係る移動通信システムによれば、「ＳＲＶＣＣ」の動作において、ＲＮＣ/ＢＳＳは、受信した「Ｒｅｌｏｃ/ＨＯ  Ｒｅｑ」に含まれる「ＰＳ/ＣＳ  ＨＯ  Ｉｎｄｉｃａｔｉｏｎ」或いは「ＣＳ  Ｏｎｌｙ  Ｉｎｄｉｃａｔｉｏｎ」によって、ＵＥ＃１の音声通信についてのハンドオーバと共に、ＵＥ＃１のパケット通信についてのハンドオーバも行うか否かについて知ることできる。
【０１１４】
したがって、本実施形態に係る移動通信システムによれば、「ＳＲＶＣＣ」の動作において、ＵＥ＃１のパケット通信についてのハンドオーバが行われない場合には、「Ｒｅｌｏｃ/  ＨＯ  Ｒｅｑ（ＣＳベアラ用）」及び「Ｒｅｌｏｃ/ＨＯ  Ｒｅｑ（ＰＳベアラ用）」の両者を受信するまで、「Ｒｅｌｏｃ/ＨＯ  Ｒｅｑ（ＣＳベアラ用）」及び「Ｒｅｌｏｃ/ＨＯ  Ｒｅｑ（ＰＳベアラ用）」の送信を待機する必要が無くなり、ＵＥ＃１の音声通信又はパケット通信についてのハンドオーバの失敗を回避すると共に、かかるハンドオーバ遅延の増大を回避することができる。
【０１１５】
（変更例１）
図６を参照して、本発明の変更例１に係る移動通信システムについて説明する。以下、本変更例１に係る移動通信システムについて、上述の第１の実施形態に係る移動通信システムとの相違点に着目して説明する。
【０１１６】
図６に示すように、ステップＳ５００１乃至Ｓ５００５ｃの動作は、図２に示すステップＳ１００１乃至Ｓ１００５ｃの動作と同一である。
【０１１７】
ＳＧＳＮは、ステップＳ５００６ａにおいて、ＭＭＥから、「ＰＳ/ＣＳ  ＨＯ  Ｉｎｄｉｃａｔｉｏｎ」を含む「Ｆｏｒｗａｒｄ  Ｒｅｌｏｃ  Ｒｅｑ」を受信した際に、ＵＥ＃１のパケット通信についてのハンドオーバを拒絶すると、すなわち、ＵＥ＃１のパケット通信で用いられるＰＳベアラの設定を拒絶すると、ＲＮＣ/ＢＳＳに対して、上述の「ＰＳ/ＣＳ  ＨＯ  Ｉｎｄｉｃａｔｉｏｎ」を含む「Ｒｅｌｏｃ/ＨＯ  Ｒｅｑ」を送信することなく、ステップＳ５００７ｂにおいて、ＭＭＥに対して、エラー応答を含む「Ｆｏｒｗａｒｄ  Ｒｅｌｏｃ  Ｒｅｓｐ」を送信する。
【０１１８】
ステップＳ５００８において、ＭＭＥは、エラー応答を含む「Ｆｏｒｗａｒｄ  Ｒｅｌｏｃ  Ｒｅｓｐ」を受信すると、上述のＣＳベアラのリソースの確保についてのキャンセル処理を行う。
【０１１９】
ここで、ＭＭＥは、ステップ５００６ａにおいて、「Ｒｅｌｏｃ/ＨＯ  Ｒｅｑ（ＰＳベアラ用）」を送信した際に、所定期間を計時するタイマを起動し、かかるタイマが満了するまでに、「Ｆｏｒｗａｒｄ  Ｒｅｌｏｃ  Ｒｅｓｐ」を受信しない場合に、上述のＣＳベアラ及びＰＳベアラのリソースの確保についてのキャンセル処理を行ってもよい。
【０１２０】
ステップＳ５００９ａにおいて、ＭＭＥは、ＭＳＣサーバ/ＣＳ-ＭＧＷに対して、ＵＥ＃１の音声通信のみについてハンドオーバを行うことを示す「ＣＳ  Ｏｎｌｙ  Ｉｎｄｉｃａｔｉｏｎ」を含む「ＰＳ  ｔｏ  ＣＳ  Ｒｅｑ」を送信する。
【０１２１】
ステップＳ５００９ｂにおいて、ＭＳＣサーバ/ＣＳ-ＭＧＷは、ＭＳＣに対して、かかる「ＣＳ  Ｏｎｌｙ  Ｉｎｄｉｃａｔｉｏｎ」を含む「Ｐｒｅｐ  ＨＯ」を送信し、ステップＳ５００９ｃにおいて、ＭＳＣは、ＲＮＣ/ＢＳＳに対して、かかる「ＣＳ  Ｏｎｌｙ  Ｉｎｄｉｃａｔｉｏｎ」を含む「Ｒｅｌｏｃ/ＨＯ  Ｒｅｑ」を送信する。
【０１２２】
以下、ステップＳ５０１０ａ乃至Ｓ５０２１の動作は、図５に示すステップＳ４００８ａ乃至Ｓ４０１９の動作と同一である。
【０１２３】
（変更例２）
なお、上述の第１実施形態及び変更例１に係る移動通信システムは、「ＳＲＶＣＣ」の代わりに、「３ＧＰＰ  ＴＳ２３.２３７」に規定されている「ＳＲＶＣＣ改善方式」を用いて、ＵＥ＃１を、Ｅ-ＵＴＲＡＮ及び移動伝達ネットワークを介してＰＳベアラを用いて音声通信を行う状態から、ＵＴＲＡＮ/ＧＥＲＡＮ及びコアネットワークを介してＣＳベアラを用いて音声通信を行う状態に切り替えるように構成されていてもよい。
【０１２４】
以上に述べた本実施形態の特徴は、以下のように表現されていてもよい。
【０１２５】
本実施形態の第１の特徴は、ｅＮＢ（回線交換通信をサポートしていない第１通信方式の無線アクセスネットワーク装置）を介してＰＳベアラ（パケット交換ベアラ）を用いて音声通信及びパケット通信を行っているＵＥ＃１（移動局）のハンドオーバ方法であって、ＭＭＥ（第１通信方式の無線アクセスネットワーク装置を収容する移動管理ノード）が、ＭＳＣ（回線交換通信をサポートしている第２通信方式の回線交換機）を介して、ＲＮＣ/ＢＳＳ（第２通信方式の無線アクセスネットワーク装置）に対して、「ＰＳ/ＣＳ  ＨＯ  Ｉｎｄｉｃａｔｉｏｎ（音声通信及びパケット通信についてハンドオーバを行うことを示す第１指示情報）」を含む「Ｒｅｌｏｃ/ＨＯ  Ｒｅｑ（音声通信に用いる回線交換ベアラのリソースを確保するように要求する回線交換ベアラ用リソース確保信号）」を送信する工程Ａと、ＭＭＥが、ＳＧＳＮを介して、ＲＮＣ/ＢＳＳに対して、「ＰＳ/ＣＳ  ＨＯ  Ｉｎｄｉｃａｔｉｏｎ」を含む「Ｒｅｌｏｃ/ＨＯ  Ｒｅｑ（パケット通信に用いるパケット交換ベアラのリソースを確保するように要求するパケット交換ベアラ用リソース確保信号）」を送信する工程Ｂと、ＲＮＣ/ＢＳＳが、「Ｒｅｌｏｃ/ＨＯ  Ｒｅｑ（ＣＳベアラ用）」及び「Ｒｅｌｏｃ/ＨＯ  Ｒｅｑ（ＰＳベアラ用）」の両方を受信した後に、ＭＭＥに対して、「ＰＳ  ｔｏ  ＣＳ  Ｒｅｓｐ（回線交換ベアラのリソースを確保したことを示す回線交換ベアラ用応答信号）」及び「Ｆｏｒｗａｒｄ  Ｒｅｌｏｃ  Ｒｅｓｐ（パケット交換ベアラのリソースを確保したことを示すパケット交換ベアラ用応答信号）」を送信する工程Ｃと、ＭＭＥが、「Ｆｏｒｗａｒｄ  Ｒｅｌｏｃ  Ｒｅｓｐ」及び「ＰＳ  ｔｏ  ＣＳ  Ｒｅｓｐ」を受信した場合、ｅＮＢを介して、ＵＥ＃１に対して、音声通信及びパケット通信についてのＥ-ＵＴＲＡＮ（第１通信方式の無線アクセスネットワーク）からＵＴＲＡＮ/ＧＥＲＡＮ（第２通信方式の無線アクセスネットワーク）への「ＨＯ  ｆｒｏｍ  ＥＵＴＲＡＮ  ｃｏｍｍａｎｄ（ハンドオーバ指示信号）」を送信する工程Ｄとを有することを要旨とする。
【０１２６】
本実施形態の第１の特徴において、工程Ｃにおいて、ＲＮＣ/ＢＳＳは、「ＰＳ/ＣＳ  ＨＯ  Ｉｎｄｉｃａｔｉｏｎ」を含む「Ｒｅｌｏｃ/ＨＯ  Ｒｅｑ（ＣＳベアラ用）」を受信してから所定期間が経過するまでに、「Ｒｅｌｏｃ/ＨＯ  Ｒｅｑ（ＰＳベアラ用）」を受信しない場合には、「Ｐｒｅｐａｒｅｄ  ＣＳ  ｏｎｌｙ（音声通信のみについてハンドオーバを行うことを示す第２指示情報）」を含む「ＰＳ  ｔｏ  ＣＳ  Ｒｅｓｐ」を送信し、工程Ｄにおいて、ＭＭＥは、「Ｐｒｅｐａｒｅｄ  ＣＳ  ｏｎｌｙ」を含む「ＰＳ  ｔｏ  ＣＳ  Ｒｅｓｐ」を受信した場合、音声通信のみについてのＥ-ＵＴＲＡＮからＵＴＲＡＮ/ＧＥＲＡＮへの「ＨＯ  ｆｒｏｍ  ＥＵＴＲＡＮ  ｃｏｍｍａｎｄ」を送信してもよい。
【０１２７】
本実施形態の第２の特徴は、ｅＮＢを介してＰＳベアラを用いて音声通信及びパケット通信を行っているＵＥ＃１のハンドオーバ方法であって、ＭＭＥが、ＭＳＣを介して、ＲＮＣ/ＢＳＳに対して、「Ｒｅｌｏｃ/ＨＯ  Ｒｅｑ（ＣＳベアラ用）」を送信する工程Ａと、「Ｒｅｌｏｃ/ＨＯ  Ｒｅｑ（ＣＳベアラ用）」に、「ＣＳ  ｏｎｌｙ  Ｉｎｄｉｃａｔｉｏｎ（音声通信のみについてハンドオーバを行うことを示す指示情報）」が含まれている場合、ＲＮＣ/ＢＳＳが、「Ｒｅｌｏｃ/ＨＯ  Ｒｅｑ（ＰＳベアラ用）」の受信を待つことなく、ＭＭＥに対して、「ＣＳ  ｏｎｌｙ  Ｉｎｄｉｃａｔｉｏｎ」を含む「ＰＳ  ｔｏ  ＣＳ  Ｒｅｓｐ」を送信する工程Ｂと、ＭＭＥが、「Ｐｒｅｐａｒｅｄ  ＣＳ  ｏｎｌｙ」を含む「ＰＳ  ｔｏ  ＣＳ  Ｒｅｓｐ」を受信した場合、ｅＮＢを介して、ＵＥ＃１に対して、音声通信のみについてのＥ-ＵＴＲＡＮからＵＴＲＡＮ/ＧＥＲＡＮへの「ＨＯ  ｆｒｏｍ  ＥＵＴＲＡＮ  ｃｏｍｍａｎｄ」を送信する工程Ｃとを有することを要旨とする。
【０１２８】
本実施形態の第２の特徴において、工程Ａにおいて、ＭＭＥは、ｅＮＢによって送信された「Ｈａｎｄｏｖｅｒ  Ｒｅｑｕｉｒｅｄ（ハンドオーバ要求信号）」によって、「ＳＲＶＣＣ  ＨＯ  Ｉｎｄｉｃａｔｉｏｎ＝ＰＳ  ａｎｄ  ＣＳ（音声通信及びパケット通信についてハンドオーバを行うこと）」が指示されている場合であっても、パケット通信についてハンドオーバを行わないと決定した場合には、「ＣＳ  ｏｎｌｙ  Ｉｎｄｉｃａｔｉｏｎ」を含む「Ｒｅｌｏｃ/ＨＯ  Ｒｅｑ（ＣＳベアラ用）」を送信してもよい。
【０１２９】
本実施形態の第３の特徴は、ｅＮＢを介してＰＳベアラを用いて音声通信及びパケット通信を行っているＵＥ＃１のハンドオーバ方法であって、ＭＭＥが、ＭＳＣを介して、ＲＮＣ/ＢＳＳに対して、「ＰＳ/ＣＳ  ＨＯ  Ｉｎｄｉｃａｔｉｏｎ」を含む「Ｒｅｌｏｃ/ＨＯ  Ｒｅｑ（ＣＳベアラ用）」を送信する工程と、ＭＭＥが、ＳＧＳＮを介して、ＲＮＣ/ＢＳＳに対して、「ＰＳ/ＣＳ  ＨＯ  Ｉｎｄｉｃａｔｉｏｎ」を含む「Ｒｅｌｏｃ/ＨＯ  Ｒｅｑ（ＰＳベアラ用）」を送信する工程と、ＳＧＳＮが、上述のパケット通信に用いるＰＳベアラの設定を拒絶する場合に、ＲＮＣ/ＢＳＳに対して、「Ｒｅｌｏｃ/ＨＯ  Ｒｅｑ（ＰＳベアラ用）」を送信することなく、ＭＭＥに対して、エラー応答を含む「Ｆｏｒｗａｒｄ  Ｒｅｌｏｃ  Ｒｅｓｐ」を送信する工程と、ＭＭＥが、エラー応答を含む「Ｆｏｒｗａｒｄ  Ｒｅｌｏｃ  Ｒｅｓｐ」を受信した場合、上述のＣＳベアラ及びＰＳベアラのリソースの確保についてのキャンセル処理を行う工程と、ＭＭＥが、ＭＳＣを介して、ＲＮＣ/ＢＳＳに対して、「ＣＳ  ｏｎｌｙ  Ｉｎｄｉｃａｔｉｏｎ」を含む「Ｒｅｌｏｃ/ＨＯ  Ｒｅｑ（ＣＳベアラ用）」を送信する工程と、ＲＮＣ/ＢＳＳが、「ＣＳ  ｏｎｌｙ  Ｉｎｄｉｃａｔｉｏｎ」を含む「Ｒｅｌｏｃ/ＨＯ  Ｒｅｑ（ＣＳベアラ用）」を受信した場合には、「Ｒｅｌｏｃ/ＨＯ  Ｒｅｑ（ＰＳベアラ用）」の受信を待つことなく、ＭＭＥに対して、「Ｐｒｅｐａｒｅｄ  ＣＳ  ｏｎｌｙ」を含む「ＰＳ  ｔｏ  ＣＳ  Ｒｅｓｐ」を送信する工程と、ＭＭＥが、「Ｐｒｅｐａｒｅｄ  ＣＳ  ｏｎｌｙ」を含む「ＰＳ  ｔｏ  ＣＳ  Ｒｅｓｐ」を受信した場合、ｅＮＢを介して、ＵＥ＃１に対して、音声通信のみについてのＥ-ＵＴＲＡＮからＵＴＲＡＮ/ＧＥＲＡＮへの「ＨＯ  ｆｒｏｍ  ＥＵＴＲＡＮ  ｃｏｍｍａｎｄ」を送信する工程とを有することを要旨とする。
【０１３０】
本実施形態の第４の特徴は、ｅＮＢを介してＰＳベアラを用いて音声通信及びパケット通信を行っているＵＥ＃１のハンドオーバ方法であって、ＭＭＥが、ＭＳＣを介して、ＲＮＣ/ＢＳＳに対して、「ＰＳ/ＣＳ  ＨＯ  Ｉｎｄｉｃａｔｉｏｎ」を含む「Ｒｅｌｏｃ/ＨＯ  Ｒｅｑ（ＣＳベアラ用）」を送信する工程と、ＭＭＥが、ＳＧＳＮを介して、ＲＮＣ/ＢＳＳに対して、「ＰＳ/ＣＳ  ＨＯ  Ｉｎｄｉｃａｔｉｏｎ」を含む「Ｒｅｌｏｃ/ＨＯ  Ｒｅｑ（ＰＳベアラ用）」を送信する工程と、ＭＭＥが、「Ｒｅｌｏｃ/ＨＯ  Ｒｅｑ（ＰＳベアラ用）」を送信してから所定期間するまでに、「Ｆｏｒｗａｒｄ  Ｒｅｌｏｃ  Ｒｅｓｐ」を受信しない場合には、上述のＣＳベアラ及びＰＳベアラのリソースの確保についてのキャンセル処理を行う工程と、ＭＭＥが、ＭＳＣを介して、ＲＮＣ/ＢＳＳに対して、「ＣＳ  ｏｎｌｙ  Ｉｎｄｉｃａｔｉｏｎ」を含む「Ｒｅｌｏｃ/ＨＯ  Ｒｅｑ（ＣＳベアラ用）」を送信する工程と、ＲＮＣ/ＢＳＳが、「ＣＳ  ｏｎｌｙ  Ｉｎｄｉｃａｔｉｏｎ」を含む「Ｒｅｌｏｃ/ＨＯ  Ｒｅｑ（ＣＳベアラ用）」を受信した場合には、「Ｒｅｌｏｃ/ＨＯ  Ｒｅｑ（ＰＳベアラ用）」の受信を待つことなく、ＭＭＥに対して、「Ｐｒｅｐａｒｅｄ  ＣＳ  ｏｎｌｙ」を含む「ＰＳ  ｔｏ  ＣＳ  Ｒｅｓｐ」を送信する工程と、ＭＭＥが、「Ｐｒｅｐａｒｅｄ  ＣＳ  ｏｎｌｙ」を含む「ＰＳ  ｔｏ  ＣＳ  Ｒｅｓｐ」を受信した場合、ｅＮＢを介して、ＵＥ＃１に対して、上述の音声通信のみについてのＥ-ＵＴＲＡＮからＵＴＲＡＮ/ＧＥＲＡＮへの「ＨＯ  ｆｒｏｍ  ＥＵＴＲＡＮ  ｃｏｍｍａｎｄ」を送信する工程とを有することを要旨とする。
【０１３１】
本実施形態の第５の特徴は、ｅＮＢを介してＰＳベアラを用いて音声通信及びパケット通信を行っているＵＥ＃１のハンドオーバを行うことができる移動通信システムにおけるＲＮＣ/ＢＳＳであって、ＭＭＥから、ＭＳＣを介して、「Ｒｅｌｏｃ/ＨＯ  Ｒｅｑ（ＣＳベアラ用）」を受信するように構成されており、ＭＭＥから、ＳＧＳＮを介して、「Ｒｅｌｏｃ/ＨＯ  Ｒｅｑ（ＰＳベアラ用）」を受信するように構成されており、受信した「Ｒｅｌｏｃ/ＨＯ  Ｒｅｑ（ＣＳベアラ用）」或いは「Ｒｅｌｏｃ/ＨＯ  Ｒｅｑ（ＰＳベアラ用）」に「ＰＳ/ＣＳ  ＨＯ  Ｉｎｄｉｃａｔｉｏｎ」が含まれている場合、「Ｒｅｌｏｃ/ＨＯ  Ｒｅｑ（ＣＳベアラ用）」及び「Ｒｅｌｏｃ/ＨＯ  Ｒｅｑ（ＰＳベアラ用）」の両方を受信した後に、ＭＭＥに対して、「ＰＳ  ｔｏ  ＣＳ  Ｒｅｓｐ」及び「Ｆｏｒｗａｒｄ  Ｒｅｌｏｃ  Ｒｅｓｐ」を送信するように構成されていることを要旨とする。
【０１３２】
本実施形態の第５の特徴において、受信した「Ｒｅｌｏｃ/ＨＯ  Ｒｅｑ（ＣＳベアラ用）」に「ＰＳ/ＣＳ  ＨＯ  Ｉｎｄｉｃａｔｉｏｎ」が含まれている場合で、かつ、「Ｒｅｌｏｃ/ＨＯ  Ｒｅｑ（ＣＳベアラ用）」を受信してから所定期間が経過するまでに、「Ｒｅｌｏｃ/ＨＯ  Ｒｅｑ（ＰＳベアラ用）」を受信しない場合には、「Ｐｒｅｐａｒｅｄ  ＣＳ  ｏｎｌｙ」を含む「ＰＳ  ｔｏ  ＣＳ  Ｒｅｓｐ」を送信するように構成されていてもよい。
【０１３３】
本実施形態の第６の特徴は、ｅＮＢを介してＰＳベアラを用いて音声通信及びパケット通信を行っているＵＥ＃１のハンドオーバを行うことができる移動通信システムにおけるＲＮＣ/ＢＳＳであって、ＭＭＥから、ＭＳＣを介して、「Ｒｅｌｏｃ/ＨＯ  Ｒｅｑ（ＣＳベアラ用）」を受信するように構成されており、  受信した「Ｒｅｌｏｃ/ＨＯ  Ｒｅｑ（ＣＳベアラ用）」に「ＣＳ  ｏｎｌｙ  Ｉｎｄｉｃａｔｉｏｎ」が含まれている場合、「Ｒｅｌｏｃ/ＨＯ  Ｒｅｑ（ＰＳベアラ用）」の受信を待つことなく、ＭＭＥに対して、「Ｐｒｅｐａｒｅｄ  ＣＳ  ｏｎｌｙ」を含む「ＰＳ  ｔｏ  ＣＳ  Ｒｅｓｐ」を送信するように構成されていることを要旨とする。
【０１３４】
本実施形態の第７の特徴は、ｅＮＢを介してＰＳベアラを用いて音声通信及びパケット通信を行っているＵＥ＃１のハンドオーバを行うことができる移動通信システムにおけるＭＭＥであって、ｅＮＢによって送信された「Ｈａｎｄｏｖｅｒ  Ｒｅｑｕｉｒｅｄ」によって「ＳＲＶＣＣ  ＨＯ  Ｉｎｄｉｃａｔｉｏｎ＝ＰＳ  ａｎｄ  ＣＳ」が指示されている場合であっても、上述のパケット通信についてハンドオーバを行わないと決定した場合には、「ＣＳ  ｏｎｌｙ  Ｉｎｄｉｃａｔｉｏｎ」を含む「Ｒｅｌｏｃ/ＨＯ  Ｒｅｑ（ＣＳベアラ用）」を送信するように構成されていることを要旨とする。
【０１３５】
本実施形態の第８の特徴は、ｅＮＢを介してＰＳベアラを用いて音声通信及びパケット通信を行っているＵＥ＃１のハンドオーバを行うことができる移動通信システムにおけるＭＭＥであって、ＭＳＣを介して、ＲＮＣ/ＢＳＳに対して、「ＰＳ/ＣＳ  ＨＯ  Ｉｎｄｉｃａｔｉｏｎ」を含む「Ｒｅｌｏｃ/ＨＯ  Ｒｅｑ（ＣＳベアラ用）」を送信するように構成されており、ＳＧＳＮを介して、ＲＮＣ/ＢＳＳに対して、「ＰＳ/ＣＳ  ＨＯ  Ｉｎｄｉｃａｔｉｏｎ」を含む「Ｒｅｌｏｃ/ＨＯ  Ｒｅｑ（ＰＳベアラ用）」を送信するように構成されており、ＳＧＳＮから、エラー応答を含む「Ｆｏｒｗａｒｄ  Ｒｅｌｏｃ  Ｒｅｓｐ」を受信した場合、上述のＣＳベアラ及びＰＳベアラのリソースの確保についてのキャンセル処理を行うと共に、ＭＳＣを介して、ＲＮＣ/ＢＳＳに対して、「ＣＳ  ｏｎｌｙ  Ｉｎｄｉｃａｔｉｏｎ」を含む「Ｒｅｌｏｃ/ＨＯ  Ｒｅｑ（ＣＳベアラ用）」を送信するように構成されていることを要旨とする。
【０１３６】
本実施形態の第９の特徴は、ｅＮＢを介してＰＳベアラを用いて音声通信及びパケット通信を行っているＵＥ＃１のハンドオーバを行うことができる移動通信システムにおけるＭＭＥであって、ＭＳＣを介して、ＲＮＣ/ＢＳＳに対して、「ＰＳ/ＣＳ  ＨＯ  Ｉｎｄｉｃａｔｉｏｎ」を含む「Ｒｅｌｏｃ/ＨＯ  Ｒｅｑ（ＣＳベアラ用）」を送信するように構成されており、ＳＧＳＮを介して、ＲＮＣ/ＢＳＳに対して、「ＰＳ/ＣＳ  ＨＯ  Ｉｎｄｉｃａｔｉｏｎ」を含む「Ｒｅｌｏｃ/ＨＯ  Ｒｅｑ（ＰＳベアラ用）」を送信するように構成されており、「Ｒｅｌｏｃ/ＨＯ  Ｒｅｑ（ＰＳベアラ用）」を送信してから所定期間するまでに、「Ｆｏｒｗａｒｄ  Ｒｅｌｏｃ  Ｒｅｓｐ」を受信しない場合には、上述のＣＳベアラ及びＰＳベアラのリソースの確保についてのキャンセル処理を行うと共に、ＭＳＣを介して、ＲＮＣ/ＢＳＳに対して、「ＣＳ  ｏｎｌｙ  Ｉｎｄｉｃａｔｉｏｎ」を含む「Ｒｅｌｏｃ/ＨＯ  Ｒｅｑ（ＣＳベアラ用）」を送信するように構成されていることを要旨とする。
【０１３７】
本実施形態の第１０の特徴は、ＲＮＣを介してＰＳベアラを用いて音声通信（ＶｏＩＰ通信）及びパケット通信を行っているＵＥ＃１のハンドオーバを行うことができる移動通信システムにおけるＳＧＳＮであって、ｅＮＢによって送信された「Ｈａｎｄｏｖｅｒ  Ｒｅｑｕｉｒｅｄ」によって「ＳＲＶＣＣ  ＨＯ  Ｉｎｄｉｃａｔｉｏｎ＝ＰＳ  ａｎｄ  ＣＳ」が指示されている場合であっても、上述のパケット通信についてハンドオーバを行わないと決定した場合には、「ＣＳ  ｏｎｌｙ  Ｉｎｄｉｃａｔｉｏｎ」を含む「Ｒｅｌｏｃ/ＨＯ  Ｒｅｑ（ＣＳベアラ用）」を送信するように構成されていることを要旨とする。
【０１３８】
なお、上述のＵＥ＃１、ＵＥ＃２、ＵＴＲＡＮ/ＧＥＲＡＮ（ＲＮＣ/ＢＳＳ）、ＭＳＣ、ＭＳＣサーバ、ＣＳ-ＭＧＷ、ＳＧＳＮ、Ｅ-ＵＴＲＡＮ（ｅＮＢ）、ＭＭＥ、Ｓ-ＧＷ、Ｐ-ＧＷ、Ｐ-ＣＳＣＦ、Ｉ/Ｓ-ＣＳＣＦ、ＳＣＣ  ＡＳ、ＰＣＲＦの動作は、ハードウェアによって実施されてもよいし、プロセッサによって実行されるソフトウェアモジュールによって実施されてもよいし、両者の組み合わせによって実施されてもよい。
【０１３９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１４０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥ＃１、ＵＥ＃２、ＵＴＲＡＮ/ＧＥＲＡＮ（ＲＮＣ/ＢＳＳ）、ＭＳＣ、ＭＳＣサーバ、ＣＳ-ＭＧＷ、ＳＧＳＮ、Ｅ-ＵＴＲＡＮ（ｅＮＢ）、ＭＭＥ、Ｓ-ＧＷ、Ｐ-ＧＷ、Ｐ-ＣＳＣＦ、Ｉ/Ｓ-ＣＳＣＦ、ＳＣＣ  ＡＳ、ＰＣＲＦ内に設けられていてもよい。また、かかる記憶媒体及びプロセッサは、ディスクリートコンポーネントとしてＵＥ＃１、ＵＥ＃２、ＵＴＲＡＮ/ＧＥＲＡＮ（ＲＮＣ/ＢＳＳ）、ＭＳＣ、ＭＳＣサーバ、ＣＳ-ＭＧＷ、ＳＧＳＮ、Ｅ-ＵＴＲＡＮ（ｅＮＢ）、ＭＭＥ、Ｓ-ＧＷ、Ｐ-ＧＷ、Ｐ-ＣＳＣＦ、Ｉ/Ｓ-ＣＳＣＦ、ＳＣＣ  ＡＳ、ＰＣＲＦ内に設けられていてもよい。
【０１４１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１４２】
ＵＥ＃１、ＵＥ＃２…移動局
Ｅ-ＵＴＲＡＮ、ＵＴＲＡＮ/ＧＥＲＡＮ…無線アクセスネットワーク
ＲＮＣ、ＮｏｄｅＢ、ＢＳＳ、ｅＮＢ…無線アクセスネットワーク装置
ＭＳＣ…回線交換機
ＳＧＳＮ…パケット交換機
Ｓ-ＧＷ、Ｐ-ＧＷ…ゲートウェイ装置
ＭＭＥ…移動管理ノード
【図１】
0005380419.tif 000002
【図２】
0005380419.tif 000003
【図３】
0005380419.tif 000004
【図４】
0005380419.tif 000005
【図５】
0005380419.tif 000006
【図６】
0005380419.tif 000007
【図７】
0005380419.tif 000008